(57)【要約】  本発明は、モバイルネットワークを動的に切り換えるための方法を開示するものであり、本方法は、サブスクリプションマネージャ（SM）が第1のモバイルネットワークへ、ユーザ機器（UE）がネットワーク切り換えを必要とすることを指示するのに使用されるモバイルネットワーク切り換えメッセージを送信するステップと、SMが第1のモバイルネットワークから、SMに、UEが第1のモバイルネットワークに接続することを通知するのに使用される通知シグナリングメッセージを受信するステップと、SMが、UEに第2のモバイルネットワークに切り換えるよう命令するために、第1のモバイルネットワークを用いてUEへモバイルネットワーク切り換えメッセージを送信するステップと、を含む。本発明は、サブスクリプションマネージャおよびユーザ機器をさらに開示するものである。本発明は、サービス提供者が、eUICCがインストールされているUEのための事業者モバイルネットワークを、要件に従って動的に切り換えることを可能にする。特に、電源異常や非稼働デバイスといった状況により事業者モバイルネットワーク切り換え期間を逸した後で、UEは、実施形態において提供される方法を用いて、依然として、事業者モバイルネットワーク切り換えを実施することができる。
2016525322.tif 000002
【特許請求の範囲】
【請求項１】
モバイルネットワークを動的に切り換えるための方法であって、
サブスクリプションマネージャSMが第1のモバイルネットワークへ、ユーザ機器UEがネットワーク切り換えを必要とすることを指示するのに使用されるモバイルネットワーク切り換えメッセージを送信するステップと、
前記SMが前記第1のモバイルネットワークから、前記SMに前記UEが前記第1のモバイルネットワークに接続しようと意図していることを通知するのに使用される通知シグナリングメッセージを受信するステップと、
前記SMが、前記UEに第2のモバイルネットワークに切り換えるよう命令するために、前記第1のモバイルネットワークを用いて前記UEへ前記モバイルネットワーク切り換えメッセージを送信するステップと
を含む、方法。
【請求項２】
前記通知シグナリングメッセージは、
前記UEの位置情報、前記UEが利用可能なネットワークのPLMN  ID、前記UEが利用可能な無線ローカル・エリア・ネットワークのAP  ID、および前記UEが利用可能な前記無線ローカル・エリア・ネットワークのサービスセット識別子SSID
の各項目のうちの少なくとも1つを含む、請求項1に記載の事業者を動的に切り換えるための方法。
【請求項３】
サブスクリプションマネージャSMが第1のモバイルネットワークへモバイルネットワーク切り換えメッセージを送信する前記ステップは、
前記サブスクリプションマネージャSMが事前に確立されたデータチャネルを介して前記第1のモバイルネットワークへ前記モバイルネットワーク切り換えメッセージを送信するステップ
を含む、請求項1または2に記載の事業者を動的に切り換えるための方法。
【請求項４】
前記モバイルネットワーク切り換えメッセージは前記SMのアドレス情報を含む、請求項1から3のいずれか一項に記載の方法。
【請求項５】
前記モバイルネットワーク切り換えメッセージは、前記UEの前記第2のモバイルネットワーク上での加入情報を含む、請求項1から4のいずれか一項に記載の方法。
【請求項６】
前記SMが前記第2のモバイルネットワークへ、前記第2のモバイルネットワークに前記UEの前記第2のモバイルネットワーク上での加入データをアクティブ化するよう要求するのに使用されるプロファイルアクティブ化要求を送信するステップ
をさらに含む、請求項1から5のいずれか一項に記載の方法。
【請求項７】
モバイルネットワークを動的に切り換えるための方法であって、
ユーザ機器UEが第1のモバイルネットワークのネットワークデバイスへ第1のネットワーク接続要求を送信するステップと、
前記UEが前記第1のモバイルネットワークの前記ネットワークデバイスから第1のネットワーク接続受け入れメッセージを受信するステップであって、前記第1のネットワーク接続受け入れメッセージは、前記UEにモバイルネットワークを切り換えるよう命令するのに使用されるモバイルネットワーク切り換えメッセージを含み、前記モバイルネットワーク切り換えメッセージはサブスクリプションマネージャSMから到来するものである、前記UEが前記第1のモバイルネットワークの前記ネットワークデバイスから第1のネットワーク接続受け入れメッセージを受信するステップと、
前記UEが前記モバイルネットワーク切り換えメッセージに従って第2のモバイルネットワークに接続するステップと
を含む、方法。
【請求項８】
前記モバイルネットワーク切り換えメッセージは、前記UEの前記第2のモバイルネットワーク上での加入情報を含む、請求項7に記載の方法。
【請求項９】
前記第1のネットワーク接続要求はアタッチ要求であり、前記第1のネットワーク接続受け入れメッセージはアタッチ受け入れである、請求項7または8に記載の方法。
【請求項１０】
前記第1のモバイルネットワークの前記ネットワークデバイスはモビリティ管理エンティティデバイスMMEである、請求項7から9のいずれか一項に記載の方法。
【請求項１１】
前記ユーザ機器UEが第1のモバイルネットワークのネットワークデバイスへ第1のネットワーク接続要求を送信する前記ステップの後で、第1のネットワーク接続受け入れメッセージを受信する前記ステップの前に、
前記UEが前記第1のモバイルネットワークの前記ネットワークデバイスの第1のネットワーク接続応答メッセージを受信するステップであって、前記第1のネットワーク接続応答メッセージは前記モバイルネットワーク切り換えメッセージを含み、前記モバイルネットワーク切り換えメッセージは前記サブスクリプションマネージャSMから到来するものである、前記UEが前記第1のモバイルネットワークの前記ネットワークデバイスの第1のネットワーク接続応答メッセージを受信するステップと、
前記UEが前記第1のモバイルネットワークの前記ネットワークデバイスへ、前記UEのPLMN  IDを含む位置応答メッセージを送信するステップと
をさらに含む、請求項10に記載の方法。
【請求項１２】
前記第1のネットワーク接続応答メッセージはアタッチ拒否であり、前記位置応答メッセージはアタッチ要求であり、または前記第1のネットワーク接続応答メッセージはeUICC要求メッセージであり、前記位置応答メッセージはeUICC応答メッセージである、請求項11に記載の方法。
【請求項１３】
前記第1のモバイルネットワークの前記ネットワークデバイスはサービングGPRSサポート・ノード・デバイスである、請求項7から9のいずれか一項に記載の方法。
【請求項１４】
前記UEが前記第1のモバイルネットワークの前記ネットワークデバイスから第1のネットワーク接続受け入れメッセージを受信する前記ステップの後に、
前記UEが前記第1のモバイルネットワークの前記ネットワークデバイスへ、前記モバイルネットワーク切り換えメッセージを含むPDPコンテキストアクティブ化要求を送信し、前記ネットワークデバイスによって返信されたPDPコンテキストアクティブ化要求応答を受信するステップ
をさらに含む、請求項13に記載の方法。
【請求項１５】
モバイルネットワークを動的に切り換えるための方法であって、
第1のモバイルネットワークのネットワークデバイスが、サブスクリプションマネージャSMによって送信された、ユーザ機器UEにモバイルネットワークを切り換えるよう命令するのに使用されるモバイルネットワーク切り換えメッセージを受信するステップと、
前記第1のモバイルネットワークの前記ネットワークデバイスが前記サブスクリプションマネージャSMへ、前記SMに、前記ユーザ機器UEが前記第1のモバイルネットワークに接続しようと意図していることを通知するのに使用される通知シグナリングメッセージを送信するステップと、
前記ネットワークデバイスが前記SMから、前記UEに第2のモバイルネットワークに接続するよう命令するのに使用される前記モバイルネットワーク切り換えメッセージを受信するステップと
を含む、方法。
【請求項１６】
前記モバイルネットワーク切り換えメッセージは前記UEの前記第2のモバイルネットワーク上での加入情報を含む、請求項15に記載の方法。
【請求項１７】
前記通知シグナリングメッセージは、
前記UEの位置情報、前記UEが利用可能なネットワークのPLMN  ID、前記UEが利用可能な無線ローカル・エリア・ネットワークのAP  ID、および前記UEが利用可能な前記無線ローカル・エリア・ネットワークのSSID
の各項目のうちの少なくとも1つを含む、請求項15に記載の方法。
【請求項１８】
前記ネットワークデバイスは、ホーム加入者サーバHSSまたはホーム・ロケーション・レジスタHLRを含む、請求項15から17のいずれか一項に記載の方法。
【請求項１９】
前記HSSまたは前記HLRが、モビリティ管理エンティティMMEによって送信される認証要求または位置更新要求を受信するステップと、
前記MMEへ、前記モバイルネットワーク切り換えメッセージを含む認証応答または位置更新応答を返信するステップと
をさらに含む、請求項18に記載の方法。
【請求項２０】
前記モバイルネットワーク切り換えメッセージは前記SMのアドレス情報を含む、請求項19に記載の方法。
【請求項２１】
前記ネットワークデバイスはモビリティ管理エンティティMMEを含む、請求項15から17のいずれか一項に記載の方法。
【請求項２２】
前記MMEが前記UEから第1のネットワーク接続要求を受信するステップと、
前記MMEが前記UEへ、前記モバイルネットワーク切り換えメッセージを含む第1のネットワーク接続受け入れメッセージを送信するステップと
をさらに含む、請求項21に記載の方法。
【請求項２３】
前記第1のネットワーク接続要求はアタッチ要求であり、前記第1のネットワーク接続受け入れメッセージはアタッチ受け入れである、請求項22に記載の方法。
【請求項２４】
前記MMEが、前記第1のネットワーク接続要求を受信する前記ステップの後で、HSSまたはHLRへ認証要求または位置更新要求を送信するステップと、
前記MMEが前記HSSまたは前記HLRによって返信される認証応答または位置更新応答を受信するステップであって、前記認証応答または前記位置更新応答は前記モバイルネットワーク切り換えメッセージを含み、前記モバイルネットワーク切り換えメッセージは前記サブスクリプションマネージャSMから到来するものである、前記MMEが前記HSSまたは前記HLRによって返信される認証応答または位置更新応答を受信するステップと、
前記MMEが前記UEへ、前記モバイルネットワーク切り換えメッセージを含む第1のネットワーク接続応答メッセージを返信するステップと、
前記MMEが、前記UEによって送信された、前記UEのPLMN  IDを含む位置応答メッセージを受信するステップと
をさらに含む、請求項22または23に記載の方法。
【請求項２５】
前記MMEが、前記第1のネットワーク接続要求を受信する前記ステップの後で、HSSまたはHLRへ認証要求または位置更新要求を送信するステップと、
前記MMEが、前記HSSまたは前記HLRによって返信される、前記モバイルネットワーク切り換えメッセージを含む認証応答または位置更新応答を受信するステップと、
前記MMEがSGWまたはPGWへセッション作成要求を送信し、前記SGWまたは前記PGWによって返信されるセッション作成応答を受信するステップと
をさらに含む、請求項22または23に記載の方法。
【請求項２６】
前記MMEは、前記HSSまたは前記HLRを用いて前記SMへ前記通知シグナリングメッセージを送信し、前記SMによって送信された前記モバイルネットワーク切り換えメッセージを、前記HSSまたは前記HLRを用いて受信する、請求項21から25のいずれか一項に記載の方法。
【請求項２７】
前記認証応答または前記位置更新応答は、前記SMのアドレス情報をさらに含み、前記MMEは、前記アドレス情報を用いて前記SMへ前記通知シグナリングメッセージを直接送信し、前記SMによって送信された前記モバイルネットワーク切り換えメッセージを、前記アドレス情報を用いて直接受信する、請求項21から25のいずれか一項に記載の方法。
【請求項２８】
前記ネットワークデバイスはSGWまたはPGWを含む、請求項15から17のいずれか一項に記載の方法。
【請求項２９】
前記SGWまたは前記PGWが、前記モバイルネットワーク切り換えメッセージを含むMMEのセッション作成要求を受信するステップと、
前記SGWまたは前記PGWが特定のPCC規則を作成するステップと、
前記SGWまたは前記PGWが前記MMEへセッション作成応答を返信するステップと
をさらに含む、請求項28に記載の方法。
【請求項３０】
前記特定のPCC規則は、ネットワーク切り換えを行うためのパケットのみが送信を許されること、または前記SMへ送信されるパケットもしくは前記SMから受信されるパケットのみが許されること、を含む、請求項29に記載の方法。
【請求項３１】
前記ネットワークデバイスはSGSNを含む、請求項15から17のいずれか一項に記載の方法。
【請求項３２】
前記SGSNが前記UEから第1のネットワーク接続要求を受信するステップと、
前記SGSNが前記UEへ、前記モバイルネットワーク切り換えメッセージを含む第1のネットワーク接続受け入れメッセージを送信するステップと
をさらに含む、請求項31に記載の方法。
【請求項３３】
前記第1のネットワーク接続要求はアタッチ要求であり、前記第1のネットワーク接続受け入れメッセージはアタッチ受け入れである、請求項32に記載の方法。
【請求項３４】
前記SGSNが、前記第1のネットワーク接続要求を受信した後で、HSSまたはHLRへ認証要求または位置更新要求を送信するステップと、
前記SGSNが、前記HSSまたは前記HLRによって返信される、前記モバイルネットワーク切り換えメッセージを含む認証応答または位置更新応答を受信するステップと
をさらに含む、請求項32または33に記載の方法。
【請求項３５】
前記SGSNが、前記UEによって送信された、前記モバイルネットワーク切り換えメッセージを含むPDPコンテキストアクティブ化要求を受信するステップと、
前記SGSNがGGSN、SGW、もしくはPGWへ、前記モバイルネットワーク切り換えメッセージを含むPDPコンテキスト作成要求を送信し、または、前記GGSN、前記SGW、もしくは前記PGWへ、前記モバイルネットワーク切り換えメッセージを含むセッション作成要求を送信するステップと、
前記SGSNが、前記GGSN、前記SGW、または前記PGWによって返信されるPDPコンテキスト作成要求応答またはセッション作成要求応答を受信するステップと、
前記SGSNが前記UEへPDPコンテキストアクティブ化要求応答を返信するステップと
をさらに含む、請求項34に記載の方法。
【請求項３６】
サブスクリプションマネージャSMであって、
第1のモバイルネットワークへ、ユーザ機器UEがネットワーク切り換えを必要とすることを指示するのに使用されるモバイルネットワーク切り換えメッセージを送信する、切り換えメッセージ送信部と、
前記第1のモバイルネットワークから、前記SMに、前記UEが前記第1のモバイルネットワークに接続しようと意図していることを通知するのに使用される通知シグナリングメッセージを受信する、シグナリングメッセージ受信部と、
前記UEに第2のモバイルネットワークに切り換えるよう命令するために、前記第1のモバイルネットワークを用いて前記UEへ前記モバイルネットワーク切り換えメッセージを送信する、切り換え指示部と
を含む、サブスクリプションマネージャSM。
【請求項３７】
前記通知シグナリングメッセージは、
前記UEの位置情報、前記UEが利用可能なネットワークのPLMN  ID、前記UEが利用可能な無線ローカル・エリア・ネットワークのAP  ID、および前記UEが利用可能な前記無線ローカル・エリア・ネットワークのSSID
の各項目のうちの少なくとも1つを含む、請求項36に記載のサブスクリプションマネージャSM。
【請求項３８】
前記切り換え指示部は具体的には、データチャネルを介して前記第1のモバイルネットワークへ前記モバイルネットワーク切り換えメッセージを送信する、請求項36または37に記載のサブスクリプションマネージャSM。
【請求項３９】
前記モバイルネットワーク切り換えメッセージは前記SMのアドレス情報を含む、請求項36から38のいずれか一項に記載のサブスクリプションマネージャSM。
【請求項４０】
前記モバイルネットワーク切り換えメッセージは、前記UEの前記第2のモバイルネットワーク上での加入情報を含む、請求項36から39のいずれか一項に記載のサブスクリプションマネージャSM。
【請求項４１】
前記第2のモバイルネットワークへ、前記第2のモバイルネットワークに前記UEの前記第2のモバイルネットワーク上での加入データをアクティブ化するよう要求するのに使用されるプロファイルアクティブ化要求を送信する、プロファイルアクティブ化要求部
をさらに含む、請求項36から40のいずれか一項に記載のサブスクリプションマネージャSM。
【請求項４２】
ユーザ機器UEであって、
第1のモバイルネットワークのネットワークデバイスへ第1のネットワーク接続要求を送信する、要求送信部と、
前記第1のモバイルネットワークの前記ネットワークデバイスから第1のネットワーク接続受け入れメッセージを受信する、メッセージ受信部であって、前記第1のネットワーク接続受け入れメッセージは前記UEにモバイルネットワークを切り換えるよう命令するのに使用されるモバイルネットワーク切り換えメッセージを含み、前記モバイルネットワーク切り換えメッセージはサブスクリプションマネージャSMから到来するものである、メッセージ受信部と、
前記モバイルネットワーク切り換えメッセージに従って第2のモバイルネットワークに接続する、ネットワーク切り換え部と
を含む、ユーザ機器UE。
【請求項４３】
前記モバイルネットワーク切り換えメッセージは前記UEの前記第2のモバイルネットワーク上での加入情報を含む、請求項42に記載のユーザ機器UE。
【請求項４４】
前記第1のネットワーク接続要求はアタッチ要求であり、前記第1のネットワーク接続受け入れメッセージはアタッチ受け入れである、請求項42または43に記載のユーザ機器UE。
【請求項４５】
前記第1のモバイルネットワークの前記ネットワークデバイスはモビリティ管理エンティティデバイスMMEである、請求項42から44のいずれか一項に記載のユーザ機器UE。
【請求項４６】
前記第1のモバイルネットワークの前記ネットワークデバイスの第1のネットワーク接続応答メッセージを受信する、応答メッセージ受信部であって、前記第1のネットワーク接続応答メッセージは前記モバイルネットワーク切り換えメッセージを含み、前記モバイルネットワーク切り換えメッセージは前記サブスクリプションマネージャSMから到来するものである、応答メッセージ受信部と、
前記第1のモバイルネットワークの前記ネットワークデバイスへ、前記UEのPLMN  IDを含む位置応答メッセージを送信する、位置情報送信部と
をさらに含む、請求項45に記載のユーザ機器UE。
【請求項４７】
前記第1のネットワーク接続応答メッセージはアタッチ拒否であり、前記位置応答メッセージはアタッチ要求であり、または前記第1のネットワーク接続応答メッセージはeUICC要求メッセージであり、前記位置応答メッセージはeUICC応答メッセージである、請求項46に記載のユーザ機器UE。
【請求項４８】
前記第1のモバイルネットワークの前記ネットワークデバイスはサービングGPRSサポート・ノード・デバイスである、請求項42から44のいずれか一項に記載のユーザ機器UE。
【請求項４９】
前記第1のモバイルネットワークの前記ネットワークデバイスへ、前記モバイルネットワーク切り換えメッセージを含むPDPコンテキストアクティブ化要求を送信し、前記ネットワークデバイスによって返信されるPDPコンテキストアクティブ化要求応答を受信する、コンテキスト要求部
をさらに含む、請求項48に記載のユーザ機器UE。
【請求項５０】
ネットワークデバイスであって、
サブスクリプションマネージャSMによって送信される、ユーザ機器UEにモバイルネットワークを切り換えるよう命令するのに使用されるモバイルネットワーク切り換えメッセージを受信する、切り換えメッセージ受信部と、
前記サブスクリプションマネージャSMへ、前記SMに、前記ユーザ機器UEが第1のモバイルネットワークに接続しようと意図していることを通知するのに使用される通知シグナリングメッセージを送信する、シグナリングメッセージ送信部と、
前記SMから、前記UEに第2のモバイルネットワークに接続するよう命令するのに使用される前記モバイルネットワーク切り換えメッセージを受信する、切り換え指示受信部と
を含む、ネットワークデバイス。
【請求項５１】
前記モバイルネットワーク切り換えメッセージは前記UEの前記第2のモバイルネットワーク上での加入情報を含む、請求項50に記載のネットワークデバイス。
【請求項５２】
前記通知シグナリングメッセージは、
前記UEの位置情報、前記UEが利用可能なネットワークのPLMN  ID、前記UEが利用可能な無線ローカル・エリア・ネットワークのAP  ID、および前記UEが利用可能な前記無線ローカル・エリア・ネットワークのSSID
の各項目のうちの少なくとも1つを含む、請求項50に記載のネットワークデバイス。
【請求項５３】
HSSまたはHLRを含む、請求項50から52のいずれか一項に記載のネットワークデバイス。
【請求項５４】
モビリティ管理エンティティMMEによって送信される認証要求または位置更新要求を受信する、要求受信部と、
前記MMEへ、前記モバイルネットワーク切り換えメッセージを含む認証応答または位置更新応答を返信する、応答返信部と
をさらに含む、請求項53に記載のネットワークデバイス。
【請求項５５】
前記モバイルネットワーク切り換えメッセージは前記SMのアドレス情報を含む、請求項53に記載のネットワークデバイス。
【請求項５６】
モビリティ管理エンティティMMEを含む、請求項50から52のいずれか一項に記載のネットワークデバイス。
【請求項５７】
前記UEから第1のネットワーク接続要求を受信する、接続要求受信部と、
前記UEへ、前記モバイルネットワーク切り換えメッセージを含む第1のネットワーク接続受け入れメッセージを送信する、受け入れメッセージ送信部と
をさらに含む、請求項56に記載のネットワークデバイス。
【請求項５８】
前記第1のネットワーク接続要求はアタッチ要求であり、前記第1のネットワーク接続受け入れメッセージはアタッチ受け入れである、請求項57に記載のネットワークデバイス。
【請求項５９】
前記第1のネットワーク接続要求が受信された後で、HSSまたはHLRへ認証要求または位置更新要求を送信する、要求送信部と、
前記HSSまたは前記HLRによって返信される認証応答または位置更新応答を受信する、応答受信部であって、前記認証応答または前記位置更新応答は前記モバイルネットワーク切り換えメッセージを含み、前記モバイルネットワーク切り換えメッセージは前記サブスクリプションマネージャSMから到来するものである、応答受信部と、
前記UEへ、前記モバイルネットワーク切り換えメッセージを含む第1のネットワーク接続応答メッセージを返信する、接続要求応答部と、
前記UEによって送信される、前記UEのPLMN  IDを含む位置応答メッセージを受信する、位置メッセージ受信部と
をさらに含む、請求項57または58に記載のネットワークデバイス。
【請求項６０】
前記第1のネットワーク接続要求が受信された後で、HSSまたはHLRへ認証要求または位置更新要求を送信する、要求送信部と、
前記HSSまたは前記HLRによって返信される、前記モバイルネットワーク切り換えメッセージを含む認証応答または位置更新応答を受信する、応答受信部と、
SGWまたはPGWへセッション作成要求を送信する、セッション作成要求部と、
前記SGWまたは前記PGWによって返信されるセッション作成応答を受信する、セッション作成応答受信部と
をさらに含む、請求項57または58に記載のネットワークデバイス。
【請求項６１】
前記シグナリングメッセージ送信部は具体的には、前記HSSまたは前記HLRを用いて前記SMへ前記通知シグナリングメッセージを送信し、
前記切り換え指示受信部は具体的には、前記SMによって送信される前記モバイルネットワーク切り換えメッセージを、前記HSSまたは前記HLRを用いて受信する、請求項56から60のいずれか一項に記載のネットワークデバイス。
【請求項６２】
前記認証応答または前記位置更新応答は前記SMのアドレス情報をさらに含み、前記シグナリングメッセージ送信部は具体的には、前記アドレス情報を用いて前記SMへ前記通知シグナリングメッセージを直接送信し、
前記切り換え指示受信部は具体的には、前記SMによって送信される前記モバイルネットワーク切り換えメッセージを、前記アドレス情報を用いて直接受信する、請求項56から60のいずれか一項に記載のネットワークデバイス。
【請求項６３】
SGWまたはPGWを含む、請求項50から52のいずれか一項に記載のネットワークデバイス。
【請求項６４】
前記モバイルネットワーク切り換えメッセージを含むMMEのセッション作成要求を受信する、セッション作成要求受信部と、
特定のPCC規則を作成する、PCC規則作成部と、
前記MMEへセッション作成応答を返信する、セッション作成応答返信部と
をさらに含む、請求項63に記載のネットワークデバイス。
【請求項６５】
前記特定のPCC規則は、ネットワーク切り換えを行うためのパケットのみが送信を許されること、または前記SMへ送信されるパケットもしくは前記SMから受信されるパケットのみが許されること、を含む、請求項64に記載のネットワークデバイス。
【請求項６６】
SGSNを含む、請求項50から52のいずれか一項に記載のネットワークデバイス。
【請求項６７】
前記UEから第1のネットワーク接続要求を受信する、接続要求受信部と、
前記UEへ、前記モバイルネットワーク切り換えメッセージを含む第1のネットワーク接続受け入れメッセージを送信する、受け入れメッセージ送信部と
をさらに含む、請求項66に記載のネットワークデバイス。
【請求項６８】
前記第1のネットワーク接続要求はアタッチ要求であり、前記第1のネットワーク接続受け入れメッセージはアタッチ受け入れである、請求項67に記載のネットワークデバイス。
【請求項６９】
前記第1のネットワーク接続要求が受信された後で、HSSまたはHLRへ認証要求または位置更新要求を送信する、要求送信部と、
前記HSSまたは前記HLRによって返信される、前記モバイルネットワーク切り換えメッセージを含む認証応答または位置更新応答を受信する、応答受信部と
をさらに含む、請求項67または68に記載のネットワークデバイス。
【請求項７０】
前記UEによって送信される、前記モバイルネットワーク切り換えメッセージを含むPDPコンテキストアクティブ化要求を受信する、コンテキスト要求受信部
をさらに含み、前記要求送信部はさらに、GGSN、SGW、もしくはPGWへ、前記モバイルネットワーク切り換えメッセージを含むPDPコンテキスト作成要求を送信し、または、前記GGSN、前記SGW、もしくは前記PGWへ、前記モバイルネットワーク切り換えメッセージを含むセッション作成要求を送信し、
前記応答受信部はさらに、前記GGSN、前記SGW、または前記PGWによって返信されるPDPコンテキスト作成要求応答またはセッション作成要求応答を受信し、また前記ネットワークデバイスは、
前記UEへPDPコンテキストアクティブ化要求応答を返信する、コンテキスト要求応答返信部
をさらに含む、請求項69に記載のネットワークデバイス。
【発明の詳細な説明】
【技術分野】
【０００１】
本発明はコンピュータ技術および通信技術の分野に関し、詳細には、モバイルネットワーク、サブスクリプションマネージャ、およびユーザ機器を動的に切り換えるための方法に関する。
【背景技術】
【０００２】
移動通信技術は、モバイルネットワークを用いてインターネットに接続する際にユーザ機器（User Equipment、UE）を支援するのに使用される。セルラネットワークは、典型的なモバイルネットワークであり、GPRS（General Packet Radio System、汎用パケット無線システム）、UMTS（Universal Mobile Telecommunications System、ユニバーサル移動電話システム）、およびEPS（Evolved Packet System、進化型パケットシステム）を含み、GPRS、UMTS、およびEPSは一般に、略して2G、3G、および4Gと呼ばれる。無線ローカル・エリア・ネットワーク（WLAN）（Wireless Local Area Network）も典型的なモバイルネットワークであり、一般に、WiFiと呼ばれる。
【０００３】
UEがモバイルネットワークに接続する前に、加入者は、まず、モバイルネットワークの運営に責任を負う事業者と加入契約を結び、許可されたSIM（Subscriber Identity Module、加入者識別モジュール）カードを取得し、SIMカードをユーザ機器に挿入する必要がある。SIMカードは典型的なUICC（Universal Integrated Circuit Card、汎用集積回路カード）である。前述の事業者によって提供されるSIMカードは、事業者によって運営されるモバイルネットワークに関する情報、例えば、PLMN  ID（Public Land Mobile Network Identifier、公衆陸上移動網識別子）やモバイルネットワークの暗号化アルゴリズムを含む。UEが電源を入れられており、ネットワーク登録（例えば、Attach、アタッチ）手順を行う場合には、モバイル・ネットワーク・デバイス（例えば、HSS（Home Subscriber Server、ホーム加入者サーバ））が、SIMカードによって提供される加入情報に従って、登録が有効であると決定し、したがって、登録要求を受け入れる。
【０００４】
モバイルネットワークが、自動メータ読み取り、現場データ収集、ロジスティクス追跡といったマシン・ツー・マシン通信の分野により幅広く適用される際には、前述のマシン・ツー・マシン通信用のユーザ機器が許可されたSIMカードを含み、したがって、無線技術を用いてモバイルネットワークに接続し、サービスサーバと対話することができる。マシン・ツー・マシン通信の特殊性により、SIMカードが挿入されている端末が適正にインストールされた後で、そのSIMカードを後から交換することは比較的難しい。例えば、端末は遠く離れたエリアに位置し、または計器の内部に組み込まれている。加えて、マシン・ツー・マシン通信用の比較的大量のデバイスは一般に、分散されている。たとえ交換を行うことができたとしても、交換の作業量は比較的大きく、費用が比較的高い。したがって、SIMカードがインストールされており、マシン・ツー・マシン通信に使用されるユーザ機器がアクティブ化されるときに、サービス提供者がモバイルネットワークを切り換える必要がある場合、ユーザ機器内のSIMカードを交換する際に多額の費用を費やす必要がある。場合によっては、交換を実施することができないことさえあり、この場合には、マシン・ツー・マシン通信におけるサービスプロビジョニングに多くの問題が生じる。
【０００５】
前述の問題を解決するために、GSMA（Global System for Mobile Communications Association、GSM（登録商標）アソシエーション）やETSI（European Telecommunications Standards Institute、欧州電気通信標準化機構）といった標準化機関は、事業者またはサービス提供者が、UICCのホーム・モバイル・ネットワーク（すなわち、UICCが加入しているモバイルネットワーク）を動的に切り換えること、すなわち、UICCがインストールされているユーザ機器のホーム・モバイル・ネットワークを切り換えることができるように、新しいタイプのUICCの技術を定義することを提案している。新しいタイプのUICCの技術は埋め込み型UICC（Embedded UICC、eUICC）と呼ばれ、eUICCは、UICCカードをアップグレードし、UICC内のモバイルネットワーク情報（例えば、PLMN  IDやセキュリティアルゴリズム）の動的な更新を可能にするのに使用される。加えて、図1に示すように、埋め込み型UICC内のモバイルネットワーク情報を制御し、管理するために、サブスクリプションマネージャ（Subscription Manager、SM）がネットワーク側で配備される。
【０００６】
図1のアーキテクチャにおいて、MNは、Mobile  Network、すなわち、モバイルネットワークである。SMは、1つの事業者の複数のモバイルネットワーク（MN）と通信することもでき、異なる事業者の複数のモバイルネットワーク（MN）と通信することもできる。複数のモバイルネットワークは、同じタイプのモバイルネットワークとすること、例えば、すべてをセルラネットワークとすることもでき、異なるタイプのモバイルネットワーク、例えば、セルラネットワークと無線ローカル・エリア・ネットワークの組み合わせとすることもできる。eUICCが挿入されているユーザ機器は、（図1のMN1といったモバイルネットワークのうちの任意の1つと、SMとに接続することができる。SMがユーザ機器にモバイルネットワークを切り換えるよう命令すると、ユーザ機器は、図1のMN2といった指定されたモバイルネットワークに接続することができる。
【０００７】
SMが、eUICCがインストールされているUEを、モバイルネットワーク切り換え処理を行うように動的に制御するという要件を満たすには、UEはまず、UEが最初に加入契約を結ぶ事業者の、図1のMN1といったモバイルネットワークにアタッチし、SMにアクセスするためにデータチャネルを確立する必要がある。UEの要求メッセージを受信すると、SMは、MN1を用いてUEへ新しいモバイルネットワーク情報を送信する。モバイルネットワーク情報を更新した後で、UEは、MN2へのアタッチを開始し、モバイルネットワーク切り換えプロセスを実施する。EPSネットワークにおける具体的なプロセスが図2に示されている。
【０００８】
ステップ1：UEがMME（Mobility Management Entity、モビリティ管理エンティティ）へアタッチ要求（Attach  Request）メッセージを送信し、MN1へのアタッチの手順を開始する。
【０００９】
ステップ2：MMEおよびホーム・ロケーション・レジスタ／ホーム・サブスクライバ・レジスタ（Home Location Register/Home Subscriber Server、HLR/HSS）が、UEの認証手順および位置更新手順を実行する。
【００１０】
ステップ3：MMEは、SGW／PGW（サービングゲートウェイ／パケット・データ・ネットワークゲートウェイ）へセッション作成要求（Create  Session  Request）メッセージを送信し、デフォルトベアラ（default bearer）を確立する。
【００１１】
ステップ4：PGW／SGWはMMEへセッション作成応答（Create  Session  Response）メッセージを送信する。
【００１２】
ステップ5：MMEはUEへアタッチ受け入れ（Attach  Accept）メッセージを送信し、アタッチおよびデフォルトベアラ確立の各手順を実施する。
【００１３】
ステップ6：UEは、SMと対話して新しいモバイルネットワーク情報を取得する。
【００１４】
ステップ7：UEは、取得された新しいモバイルネットワーク情報に従って、新しいモバイルネットワークへのアタッチの処理を開始し、モバイルネットワーク切り換えを実施するために、新しいモバイルネットワークに登録する。
【００１５】
モバイルネットワーク切り換えの前述のプロセスは、UEがネットワークに正常にアタッチすることのできる場合のモバイルネットワーク切り換え処理に適用することができる。しかし、マシン・ツー・マシン通信の特殊性により、UEは、モバイルネットワーク切り換え期間内にSMと対話することができないこともあり、したがって、モバイルネットワーク切り換えを正常に実施することができない。例えば、電力を節約するために、UEは、サービスが行われていないときに自動的に電源を切られ、あるいは、車載デバイスでは、加入者がデバイスの電源を切り、またはデバイスの使用を停止する。この事例はマシン・ツー・マシン通信のシナリオでは比較的よくあることである。加えて、事業者とサービス提供者（Service  Provider）は商業契約に従って協力するため、サービス提供者が事業者のモバイルネットワークを切り換える場合に、元の事業者は、モバイルネットワーク切り換えを実施するために、切り換え期間内のサービス提供者のユーザ機器のためのサービスを引き続き提供する責任を負う。しかし、切り換え期間は一般に制限を有し、この期間の満了後には、元の事業者はもはや、サービス提供者のUEのためのネットワーク接続サービスを引き続き提供する責任を負わなくなる。この場合には、モバイルネットワーク切り換え期間が満了した後で、前にモバイルネットワーク切り換え動作を正常に実施することができないUEは、元のモバイルネットワーク情報だけしか有しないため、そのUEは、元のモバイルネットワークに接続することも、SMと対話することもできない。その結果、UEはサービス提供者とのコンタクトを失い、サービス損失が引き起こされることになる。
【発明の概要】
【００１６】
本発明の実施形態は、モバイルネットワーク、サブスクリプションマネージャ、およびユーザ機器を動的に切り換えるための方法を提供し、本実施形態は、UEが電源を切られている場合に、UEをモバイルネットワークに切り換えることができず、元のモバイルネットワークに接続することができないなどという問題を解決するのに使用される。
【００１７】
前述の技術的問題を解決するために、本発明の実施形態は、以下の技術解決策を開示する。
【課題を解決するための手段】
【００１８】
第1の態様によれば、モバイルネットワークを動的に切り換えるための方法が提供され、本方法は、
サブスクリプションマネージャ（SM）が第1のモバイルネットワークへ、ユーザ機器（UE）がネットワーク切り換えを必要とすることを指示するのに使用されるモバイルネットワーク切り換えメッセージを送信するステップと、
SMが第1のモバイルネットワークから、SMに、UEが第1のモバイルネットワークに接続しようと意図していることを通知するのに使用される通知シグナリングメッセージを受信するステップと、
SMが、UEに第2のモバイルネットワークに切り換えるよう命令するために、第1のモバイルネットワークを用いてUEへモバイルネットワーク切り換えメッセージを送信するステップと
を含む。
【００１９】
第1の態様の第1の可能な実施態様において、通知シグナリングメッセージは、
UEの位置情報、UEが利用可能なネットワークのPLMN  ID、UEが利用可能な無線ローカル・エリア・ネットワークのAP  ID、およびUEが利用可能な無線ローカル・エリア・ネットワークのSSID
の各項目のうちの少なくとも1つを含む。
【００２０】
第1の態様の第2の可能な実施態様において、サブスクリプションマネージャ（SM）が第1のモバイルネットワークへモバイルネットワーク切り換えメッセージを送信するステップは、
サブスクリプションマネージャ（SM）が事前に確立されたデータチャネルを介して第1のモバイルネットワークへモバイルネットワーク切り換えメッセージを送信するステップ
を含む。
【００２１】
第1の態様の第3の可能な実施態様において、モバイルネットワーク切り換えメッセージはSMのアドレス情報を含む。
【００２２】
第1の態様の第4の可能な実施態様において、モバイルネットワーク切り換えメッセージは、UEの第2のモバイルネットワーク上での加入情報を含む。
【００２３】
第1の態様の第5の可能な実施態様において、本方法は、
SMが第2のモバイルネットワークへ、第2のモバイルネットワークにUEの第2のモバイルネットワーク上での加入データをアクティブ化するよう要求するのに使用されるプロファイルアクティブ化要求を送信するステップ
をさらに含む。
【００２４】
第2の態様によれば、モバイルネットワークを動的に切り換えるための方法が提供され、本方法は、
ユーザ機器（UE）が第1のモバイルネットワークのネットワークデバイスへ第1のネットワーク接続要求を送信するステップと、
UEが第1のモバイルネットワークのネットワークデバイスから第1のネットワーク接続受け入れメッセージを受信するステップであって、第1のネットワーク接続受け入れメッセージは、UEにモバイルネットワークを切り換えるよう命令するのに使用されるモバイルネットワーク切り換えメッセージを含み、モバイルネットワーク切り換えメッセージはサブスクリプションマネージャ（SM）から到来するものである、UEが第1のモバイルネットワークのネットワークデバイスから第1のネットワーク接続受け入れメッセージを受信するステップと、
UEがモバイルネットワーク切り換えメッセージに従って第2のモバイルネットワークに接続するステップと
を含む。
【００２５】
第2の態様の第1の可能な実施態様において、モバイルネットワーク切り換えメッセージは、UEの第2のモバイルネットワーク上での加入情報を含む。
【００２６】
第2の態様の第2の可能な実施態様において、第1のネットワーク接続要求はアタッチ要求であり、第1のネットワーク接続受け入れメッセージはアタッチ受け入れである。
【００２７】
第2の態様の第3の可能な実施態様において、第1のモバイルネットワークのネットワークデバイスはモビリティ管理エンティティデバイス（MME）である。
【００２８】
第2の態様の第4の可能な実施態様において、ユーザ機器（UE）が第1のモバイルネットワークのネットワークデバイスへ第1のネットワーク接続要求を送信するステップの後で、第1のネットワーク接続受け入れメッセージを受信するステップの前に、本方法は、
UEが第1のモバイルネットワークのネットワークデバイスの第1のネットワーク接続応答メッセージを受信するステップであって、第1のネットワーク接続応答メッセージはモバイルネットワーク切り換えメッセージを含み、モバイルネットワーク切り換えメッセージはサブスクリプションマネージャ（SM）から到来するものである、UEが第1のモバイルネットワークのネットワークデバイスの第1のネットワーク接続応答メッセージを受信するステップと、
UEが第1のモバイルネットワークのネットワークデバイスへ、UEのPLMN  IDを含む位置応答メッセージを送信するステップと
をさらに含む。
【００２９】
第2の態様の第5の可能な実施態様において、第1のネットワーク接続応答メッセージはアタッチ拒否であり、位置応答メッセージはアタッチ要求であり、または第1のネットワーク接続応答メッセージはeUICC要求メッセージであり、位置応答メッセージはeUICC応答メッセージである。
【００３０】
第2の態様の第6の可能な実施態様において、第1のモバイルネットワークのネットワークデバイスはサービングGPRSサポート・ノード・デバイスである。
【００３１】
第2の態様の第7の可能な実施態様において、UEが第1のモバイルネットワークのネットワークデバイスから第1のネットワーク接続受け入れメッセージを受信するステップの後に、本方法は、
UEが第1のモバイルネットワークのネットワークデバイスへ、モバイルネットワーク切り換えメッセージを含むPDPコンテキストアクティブ化要求を送信し、ネットワークデバイスによって返信されたPDPコンテキストアクティブ化要求応答を受信するステップ
をさらに含む。
【００３２】
第3の態様によれば、モバイルネットワークを動的に切り換えるための方法が提供され、本方法は、
第1のモバイルネットワークのネットワークデバイスが、サブスクリプションマネージャ（SM）によって送信された、ユーザ機器（UE）にモバイルネットワークを切り換えるよう命令するのに使用されるモバイルネットワーク切り換えメッセージを受信するステップと、
第1のモバイルネットワークのネットワークデバイスがサブスクリプションマネージャ（SM）へ、SMに、ユーザ機器（UE）が第1のモバイルネットワークに接続しようと意図していることを通知するのに使用される通知シグナリングメッセージを送信するステップと、
第1のモバイルネットワークのネットワークデバイスがSMから、UEに第2のモバイルネットワークに接続するよう命令するのに使用されるモバイルネットワーク切り換えメッセージを受信するステップと
を含む。
【００３３】
第3の態様の第1の可能な実施態様において、モバイルネットワーク切り換えメッセージは、UEの第2のモバイルネットワーク上での加入情報を含む。
【００３４】
第3の態様の第2の可能な実施態様において、通知シグナリングメッセージは、
UEの位置情報、UEが利用可能なネットワークのPLMN  ID、UEが利用可能な無線ローカル・エリア・ネットワークのAP  ID、およびUEが利用可能な無線ローカル・エリア・ネットワークのSSID
の各項目のうちの少なくとも1つを含む。
【００３５】
第3の態様の第3の可能な実施態様において、ネットワークデバイスはHSSまたはHLRを含む。
【００３６】
第3の態様の第4の可能な実施態様において、本方法は、
HSSまたはHLRが、モビリティ管理エンティティ（MME）によって送信される認証要求または位置更新要求を受信するステップと、
MMEへ、モバイルネットワーク切り換えメッセージを含む認証応答または位置更新応答を返信するステップと
をさらに含む。
【００３７】
第3の態様の第5の可能な実施態様において、モバイルネットワーク切り換えメッセージはSMのアドレス情報を含む。
【００３８】
第3の態様の第6の可能な実施態様において、ネットワークデバイスはモビリティ管理エンティティ（MME）を含む。
【００３９】
第3の態様の第7の可能な実施態様において、本方法は、
MMEがUEから第1のネットワーク接続要求を受信するステップと、
MMEがUEへ、モバイルネットワーク切り換えメッセージを含む第1のネットワーク接続受け入れメッセージを送信するステップと
をさらに含む。
【００４０】
第3の態様の第8の可能な実施態様において、第1のネットワーク接続要求はアタッチ要求であり、第1のネットワーク接続受け入れメッセージはアタッチ受け入れである。
【００４１】
第3の態様の第9の可能な実施態様において、本方法は、
MMEが、第1のネットワーク接続要求を受信するステップの後で、HSSまたはHLRへ認証要求または位置更新要求を送信するステップと、
MMEが、HSSまたはHLRによって返信される認証応答または位置更新応答を受信するステップであって、認証応答または位置更新応答はモバイルネットワーク切り換えメッセージを含み、モバイルネットワーク切り換えメッセージはサブスクリプションマネージャ（SM）から到来するものである、MMEが、HSSまたはHLRによって返される認証応答または位置更新応答を受信するステップと、
MMEがUEへ、モバイルネットワーク切り換えメッセージを含む第1のネットワーク接続応答メッセージを返信するステップと、
MMEが、UEによって送信された、UEのPLMN  IDを含む位置応答メッセージを受信するステップと
をさらに含む。
【００４２】
第3の態様の第10の可能な実施態様において、本方法は、
MMEが、第1のネットワーク接続要求を受信するステップの後で、HSSまたはHLRへ認証要求または位置更新要求を送信するステップと、
MMEが、HSSまたはHLRによって返信される、モバイルネットワーク切り換えメッセージを含む認証応答または位置更新応答を受信するステップと、
MMEがSGWまたはPGWへセッション作成要求を送信し、SGWまたはPGWによって返信されるセッション作成応答を受信するステップと
をさらに含む。
【００４３】
第3の態様の第11の可能な実施態様において、MMEは、HSSまたはHLRを用いてSMへ通知シグナリングメッセージを送信し、SMによって送信されたモバイルネットワーク切り換えメッセージを、HSSまたはHLRを用いて受信する。
【００４４】
第3の態様の第12の可能な実施態様において、認証応答または位置更新応答はSMのアドレス情報をさらに含み、MMEは、アドレス情報を用いてSMへ通知シグナリングメッセージを直接送信し、SMによって送信されたモバイルネットワーク切り換えメッセージを、アドレス情報を用いて直接受信する。
【００４５】
第3の態様の第13の可能な実施態様において、ネットワークデバイスはSGWまたはPGWを含む。
【００４６】
第3の態様の第14の可能な実施態様において、本方法は、
SGWまたはPGWが、モバイルネットワーク切り換えメッセージを含むMMEのセッション作成要求を受信するステップと、
SGWまたはPGWが特定のPCC規則を作成するステップと、
SGWまたはPGWがMMEへセッション作成応答を返信するステップと
をさらに含む。
【００４７】
第3の態様の第15の可能な実施態様において、特定のPCC規則は、ネットワーク切り換えを行うためのパケットのみが送信を許されること、またはSMへ送信されるパケットもしくはSMから受信されるパケットのみが許されること、を含む。
【００４８】
第3の態様の第16の可能な実施態様において、ネットワークデバイスはSGSNを含む。
【００４９】
第3の態様の第17の可能な実施態様において、本方法は、
SGSNがUEから第1のネットワーク接続要求を受信するステップと、
SGSNがUEへ、モバイルネットワーク切り換えメッセージを含む第1のネットワーク接続受け入れメッセージを送信するステップと
をさらに含む。
【００５０】
第3の態様の第18の可能な実施態様において、第1のネットワーク接続要求はアタッチ要求であり、第1のネットワーク接続受け入れメッセージはアタッチ受け入れである。
【００５１】
第3の態様の第19の可能な実施態様において、本方法は、
SGSNが、第1のネットワーク接続要求を受信するステップの後で、HSSまたはHLRへ認証要求または位置更新要求を送信するステップと、
SGSNが、HSSまたはHLRによって返信される、モバイルネットワーク切り換えメッセージを含む認証応答または位置更新応答を受信するステップと、
をさらに含む。
【００５２】
第3の態様の第20の可能な実施態様において、本方法は、
SGSNが、UEによって送信された、モバイルネットワーク切り換えメッセージを含むPDPコンテキストアクティブ化要求を受信するステップと、
SGSNがGGSN、SGW、もしくはPGWへ、モバイルネットワーク切り換えメッセージを含むPDPコンテキスト作成要求を送信し、または、GGSN、SGW、もしくはPGWへ、モバイルネットワーク切り換えメッセージを含むセッション作成要求を送信するステップと、
SGSNが、GGSN、SGW、またはPGWによって返信されるPDPコンテキスト作成要求応答またはセッション作成要求応答を受信するステップと、
SGSNがUEへPDPコンテキストアクティブ化要求応答を返信するステップと
をさらに含む。
【００５３】
第4の態様によれば、サブスクリプションマネージャ（SM）が提供され、本SMは、
第1のモバイルネットワークへ、ユーザ機器（UE）がネットワーク切り換えを必要とすることを指示するのに使用されるモバイルネットワーク切り換えメッセージを送信する、切り換えメッセージ送信部と、
第1のモバイルネットワークから、SMに、UEが第1のモバイルネットワークに接続しようと意図していることを通知するのに使用される通知シグナリングメッセージを受信する、シグナリングメッセージ受信部と、
UEに第2のモバイルネットワークに切り換えるよう命令するために、第1のモバイルネットワークを用いてUEへモバイルネットワーク切り換えメッセージを送信する、切り換え指示部と
を含む。
【００５４】
第4の態様の第1の可能な実施態様において、通知シグナリングメッセージは、
UEの位置情報、UEが利用可能なネットワークのPLMN  ID、UEが利用可能な無線ローカル・エリア・ネットワークのAP  ID、およびUEが利用可能な無線ローカル・エリア・ネットワークのSSID
の各項目のうちの少なくとも1つを含む。
【００５５】
第4の態様の第2の可能な実施態様において、切り換え指示部は具体的には、事前に確立されたデータチャネルを介して第1のモバイルネットワークへモバイルネットワーク切り換えメッセージを送信する。
【００５６】
第4の態様の第3の可能な実施態様において、モバイルネットワーク切り換えメッセージはSMのアドレス情報を含む。
【００５７】
第4の態様の第4の可能な実施態様において、モバイルネットワーク切り換えメッセージは、UEの第2のモバイルネットワーク上での加入情報を含む。
【００５８】
第4の態様の第5の可能な実施態様において、本SMは、
第2のモバイルネットワークへ、第2のモバイルネットワークにUEの第2のモバイルネットワーク上での加入データをアクティブ化するよう要求するのに使用されるプロファイルアクティブ化要求を送信する、プロファイルアクティブ化要求部
をさらに含む。
【００５９】
第5の態様によれば、ユーザ機器（UE）が提供され、本UEは、
第1のモバイルネットワークのネットワークデバイスへ第1のネットワーク接続要求を送信する、要求送信部と、
第1のモバイルネットワークのネットワークデバイスから第1のネットワーク接続受け入れメッセージを受信する、メッセージ受信部であって、第1のネットワーク接続受け入れメッセージはUEにモバイルネットワークを切り換えるよう命令するのに使用されるモバイルネットワーク切り換えメッセージを含み、モバイルネットワーク切り換えメッセージはサブスクリプションマネージャ（SM）から到来するものである、メッセージ受信部と、
モバイルネットワーク切り換えメッセージに従って第2のモバイルネットワークに接続する、ネットワーク切り換え部と
を含む。
【００６０】
第5の態様の第1の可能な実施態様において、モバイルネットワーク切り換えメッセージは、UEの第2のモバイルネットワーク上での加入情報を含む。
【００６１】
第5の態様の第2の可能な実施態様において、第1のネットワーク接続要求はアタッチ要求であり、第1のネットワーク接続受け入れメッセージはアタッチ受け入れである。
【００６２】
第5の態様の第3の可能な実施態様において、第1のモバイルネットワークのネットワークデバイスはモビリティ管理エンティティデバイス（MME）である。
【００６３】
第5の態様の第4の可能な実施態様において、本UEは、
第1のモバイルネットワークのネットワークデバイスの第1のネットワーク接続応答メッセージを受信する、応答メッセージ受信部であって、第1のネットワーク接続応答メッセージはモバイルネットワーク切り換えメッセージを含み、モバイルネットワーク切り換えメッセージはサブスクリプションマネージャ（SM）から到来するものである、応答メッセージ受信部と、
第1のモバイルネットワークのネットワークデバイスへ、UEのPLMN  IDを含む位置応答メッセージを送信する、位置情報送信部と
をさらに含む。
【００６４】
第5の態様の第5の可能な実施態様において、第1のネットワーク接続応答メッセージはアタッチ拒否であり、位置応答メッセージはアタッチ要求であり、または第1のネットワーク接続応答メッセージはeUICC要求メッセージであり、位置応答メッセージはeUICC応答メッセージである。
【００６５】
第5の態様の第6の可能な実施態様において、第1のモバイルネットワークのネットワークデバイスはサービングGPRSサポート・ノード・デバイスである。
【００６６】
第5の態様の第7の可能な実施態様において、本UEは、
第1のモバイルネットワークのネットワークデバイスへ、モバイルネットワーク切り換えメッセージを含むPDPコンテキストアクティブ化要求を送信し、ネットワークデバイスによって返信されるPDPコンテキストアクティブ化要求応答を受信する、コンテキスト要求部
をさらに含む。
【００６７】
第6の態様によれば、ネットワークデバイスが提供され、本ネットワークデバイスは、
サブスクリプションマネージャ（SM）によって送信される、ユーザ機器（UE）にモバイルネットワークを切り換えるよう命令するのに使用されるモバイルネットワーク切り換えメッセージを受信する、切り換えメッセージ受信部と、
サブスクリプションマネージャ（SM）へ、SMに、ユーザ機器（UE）が第1のモバイルネットワークに接続しようと意図していることを通知するのに使用される通知シグナリングメッセージを送信する、シグナリングメッセージ送信部と、
SMから、UEに第2のモバイルネットワークに接続するよう命令するのに使用されるモバイルネットワーク切り換えメッセージを受信する、切り換え指示受信部と
を含む。
【００６８】
第6の態様の第1の可能な実施態様において、モバイルネットワーク切り換えメッセージは、UEの第2のモバイルネットワーク上での加入情報を含む。
【００６９】
第6の態様の第2の可能な実施態様において、通知シグナリングメッセージは、
UEの位置情報、UEが利用可能なネットワークのPLMN  ID、UEが利用可能な無線ローカル・エリア・ネットワークのAP  ID、およびUEが利用可能な無線ローカル・エリア・ネットワークのSSID
の各項目のうちの少なくとも1つを含む。
【００７０】
第6の態様の第3の可能な実施態様において、ネットワークデバイスはHSSまたはHLRを含む。
【００７１】
第6の態様の第4の可能な実施態様において、ネットワークデバイスは、
モビリティ管理エンティティ（MME）によって送信される認証要求または位置更新要求を受信する、要求受信部と、
MMEへ、モバイルネットワーク切り換えメッセージを含む認証応答または位置更新応答を返信する、応答返信部と
をさらに含む。
【００７２】
第6の態様の第5の可能な実施態様において、モバイルネットワーク切り換えメッセージはSMのアドレス情報を含む。
【００７３】
第6の態様の第6の可能な実施態様において、ネットワークデバイスはモビリティ管理エンティティ（MME）を含む。
【００７４】
第6の態様の第7の可能な実施態様において、ネットワークデバイスは、
UEから第1のネットワーク接続要求を受信する、接続要求受信部と、
UEへ、モバイルネットワーク切り換えメッセージを含む第1のネットワーク接続受け入れメッセージを送信する、受け入れメッセージ送信部と
をさらに含む。
【００７５】
第6の態様の第8の可能な実施態様において、第1のネットワーク接続要求はアタッチ要求であり、第1のネットワーク接続受け入れメッセージはアタッチ受け入れである。
【００７６】
第6の態様の第9の可能な実施態様において、ネットワークデバイスは、
第1のネットワーク接続要求が受信された後で、HSSまたはHLRへ認証要求または位置更新要求を送信する、要求送信部と、
HSSまたはHLRによって返信される認証応答または位置更新応答を受信する、応答受信部であって、認証応答または位置更新応答はモバイルネットワーク切り換えメッセージを含み、モバイルネットワーク切り換えメッセージはサブスクリプションマネージャ（SM）から到来するものである、応答受信部と、
UEへ、モバイルネットワーク切り換えメッセージを含む第1のネットワーク接続応答メッセージを返信する、接続要求応答部と、
UEによって送信される、UEのPLMN  IDを含む位置応答メッセージを受信する、位置メッセージ受信部と
をさらに含む。
【００７７】
第6の態様の第10の可能な実施態様において、ネットワークデバイスは、
第1のネットワーク接続要求が受信された後で、HSSまたはHLRへ認証要求または位置更新要求を送信する、要求送信部と、
HSSまたはHLRによって返信される、モバイルネットワーク切り換えメッセージを含む認証応答または位置更新応答を受信する、応答受信部と、
SGWまたはPGWへセッション作成要求を送信する、セッション作成要求部と、
SGWまたはPGWによって返信されるセッション作成応答を受信する、セッション作成応答受信部と
をさらに含む。
【００７８】
第6の態様の第11の可能な実施態様において、シグナリングメッセージ送信部は具体的には、HSSまたはHLRを用いてSMへ通知シグナリングメッセージを送信し、
切り換え指示受信部は具体的には、SMによって送信されるモバイルネットワーク切り換えメッセージを、HSSまたはHLRを用いて受信する。
【００７９】
第6の態様の第12の可能な実施態様において、認証応答または位置更新応答はSMのアドレス情報をさらに含み、シグナリングメッセージ送信部は具体的には、アドレス情報を用いてSMへ通知シグナリングメッセージを直接送信し、
切り換え指示受信部は具体的には、SMによって送信されるモバイルネットワーク切り換えメッセージを、アドレス情報を用いて直接受信する。
【００８０】
第6の態様の第13の可能な実施態様において、ネットワークデバイスはSGWまたはPGWを含む。
【００８１】
第6の態様の第14の可能な実施態様において、ネットワークデバイスは、
モバイルネットワーク切り換えメッセージを含むMMEのセッション作成要求を受信する、セッション作成要求受信部と、
特定のPCC規則を作成する、PCC規則作成部と、
MMEへセッション作成応答を返信する、セッション作成応答返信部と
をさらに含む。
【００８２】
第6の態様の第15の可能な実施態様において、特定のPCC規則は、ネットワーク切り換えを行うためのパケットのみが送信を許されること、またはSMへ送信されるパケットもしくはSMから受信されるパケットのみが許されること、を含む。
【００８３】
第6の態様の第16の可能な実施態様において、ネットワークデバイスはSGSNを含む。
【００８４】
第6の態様の第17の可能な実施態様において、ネットワークデバイスは、
UEから第1のネットワーク接続要求を受信する、接続要求受信部と、
UEへ、モバイルネットワーク切り換えメッセージを含む第1のネットワーク接続受け入れメッセージを送信する、受け入れメッセージ送信部と
をさらに含む。
【００８５】
第6の態様の第18の可能な実施態様において、第1のネットワーク接続要求はアタッチ要求であり、第1のネットワーク接続受け入れメッセージはアタッチ受け入れである。
【００８６】
第6の態様の第19の可能な実施態様において、ネットワークデバイスは、
第1のネットワーク接続要求が受信された後で、HSSまたはHLRへ認証要求または位置更新要求を送信する、要求送信部と、
HSSまたはHLRによって返信される、モバイルネットワーク切り換えメッセージを含む認証応答または位置更新応答を受信する、応答受信部と
をさらに含む。
【００８７】
第6の態様の第20の可能な実施態様において、ネットワークデバイスは、
UEによって送信される、モバイルネットワーク切り換えメッセージを含むPDPコンテキストアクティブ化要求を受信する、コンテキスト要求受信部
をさらに含み、要求送信部はさらに、GGSN、SGW、もしくはPGWへ、モバイルネットワーク切り換えメッセージを含むPDPコンテキスト作成要求を送信し、または、GGSN、SGW、もしくはPGWへ、モバイルネットワーク切り換えメッセージを含むセッション作成要求を送信し、
応答受信部はさらに、GGSN、SGW、またはPGWによって返信されるPDPコンテキスト作成要求応答またはセッション作成要求応答を受信し、ネットワークデバイスは、
UEへPDPコンテキストアクティブ化要求応答を返信する、コンテキスト要求応答返信部
をさらに含む。
【００８８】
本発明の実施形態においては、SMが、利用可能な新しいモバイルネットワークを選択し、新しいモバイルネットワーク上での加入データをアクティブ化し、UEに、モバイルネットワーク切り換えを実施するよう命令し、そのため、UEをモバイルネットワークへ動的に切り換えるための方法が実施され、それによって、サービス提供者が、eUICCがインストールされているユーザ機器のためのホーム・モバイル・ネットワークを、要件に従って動的に切り換えることが可能になる。特に、電源異常や非稼働デバイスといった状況によりモバイルネットワーク切り換え期間を逸した後で、UEは依然として、本実施形態において提供される方法を用いてモバイルネットワーク切り換えを実施することができ、それによって、サービスの円滑な実施が保証され、サービス提供者がUEとのコンタクトを失うことが防止される。本発明の実施形態において提案される方法は、UEがモバイルネットワーク切り換え期間内に第1のモバイルネットワークに正常にアタッチする場合のネットワーク切り換え処理にも適用することができる。
【００８９】
本発明の実施形態における、または先行技術における技術的解決策をより明確に説明するために、以下で、各実施形態または先行技術を説明するのに必要とされる添付の図面について簡単に記述する。明らかに、以下の説明の添付の図面は、本発明の一部の実施形態を示すものであり、当業者は、これら添付の図面から難なく他の図面をさらに導出することができる。
【図面の簡単な説明】
【００９０】
【図１】先行技術のモバイルネットワークを切り換えるための方法におけるeUICCのアーキテクチャの図である。
【図２】図1のアーキテクチャを用いたモバイルネットワークを切り換えるための既存の方法の流れ図である。
【図３】本発明によるモバイルネットワークを動的に切り換えるための方法の一実施形態の概略的流れ図である。
【図４】本発明によるモバイルネットワークを動的に切り換えるための方法の別の実施形態の概略的流れ図である。
【図５】本発明によるモバイルネットワークを動的に切り換えるための方法のさらに別の実施形態の概略的流れ図である。
【図６】本発明によるモバイルネットワークを動的に切り換えるための方法のさらに別の実施形態の概略的シグナリング図である。
【図７】本発明によるモバイルネットワークを動的に切り換えるための方法のさらに別の実施形態の概略的シグナリング図である。
【図８】本発明によるモバイルネットワークを動的に切り換えるための方法のさらに別の実施形態の概略的シグナリング図である。
【図９】本発明によるモバイルネットワークを動的に切り換えるための方法のさらに別の実施形態の概略的シグナリング図である。
【図１０】本発明によるモバイルネットワークを動的に切り換えるための方法のさらに別の実施形態の概略的シグナリング図である。
【図１１】本発明によるモバイルネットワークを動的に切り換えるための方法のさらに別の実施形態の概略的シグナリング図である。
【図１２】本発明によるモバイルネットワークを動的に切り換えるための方法のさらに別の実施形態の概略的シグナリング図である。
【図１３】本発明によるモバイルネットワークを動的に切り換えるための方法のさらに別の実施形態の概略的シグナリング図である。
【図１４】本発明によるサブスクリプションマネージャの一実施形態の概略的構造図である。
【図１５】本発明によるユーザ機器の一実施形態の概略的構造図である。
【図１６】本発明によるネットワークデバイスの一実施形態の概略的構造図である。
【図１７】本発明によるネットワークデバイスの別の実施形態の概略的構造図である。
【図１８】本発明によるネットワークデバイスのさらに別の実施形態の概略的構造図である。
【図１９】本発明によるネットワークデバイスのさらに別の実施形態の概略的構造図である。
【図２０】本発明によるネットワークデバイスのさらに別の実施形態の概略的構造図である。
【発明を実施するための形態】
【００９１】
本発明の実施形態の目的、技術的解決策、および利点をより明確にするために、以下で、本発明の実施形態における添付の図面に関連して本発明の実施形態における技術的解決策を明確に説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【００９２】
添付の図面および実施形態に関連して、以下で本発明の具体的な実施態様を詳細にさらに説明する。以下の実施形態は本発明の範囲を限定するためではなく、本発明を例示するために使用するものである。
【００９３】
サービス提供者と第1のモバイルネットワーク（MN1）（第1のモバイルネットワークの事業者）とはサービス契約を結ぶ。サービス提供者の、eUICCがインストールされているすべてのデバイス（略してUE）は、MN1のネットワークを用いてサービスにアクセスし、サブスクリプションマネージャ（SM）の管理を受け入れるためにSMと連絡を取ることができる。サービス提供者が第2のモバイルネットワーク（すなわちMN2）への切り換えを行うことを必要とする場合、SMはUEに、事業者切り換え処理を行うよう命令する。本発明の実施形態は主に、第1のモバイルネットワークと第2のモバイルネットワークとをどのようにして動的に切り換えるかを説明する。特に、電源異常や非稼働デバイスといった状況によりモバイルネットワーク切り換え期間を逸した後で、UEは依然として、本実施形態において提供される方法を用いてモバイルネットワーク切り換えを実施することができ、それによって、サービスの円滑な実施が保証され、サービス提供者がUEとのコンタクトを失うことが防止される。以下の実施形態において、第1のモバイルネットワークおよび第2のモバイルネットワークはロング・ターム・エボルーション・ネットワーク（Long Term Evolution、略してLTE）、2G／3Gネットワークなどとすることができる。
【００９４】
実施形態1
図3は、本発明によるモバイルネットワークを動的に切り換えるための方法の一実施形態の概略的流れ図である。本実施形態における方法は、サブスクリプションマネージャ（SM）によって実行され、本方法は以下を含むことができる。
【００９５】
ステップS310：第1のモバイルネットワークへ、ユーザ機器（UE）がネットワーク切り換えを必要とすることを指示するのに使用されるモバイルネットワーク切り換えメッセージを送信する。モバイルネットワーク切り換えメッセージは、第2のモバイルネットワークに関する情報を含むことができる。第2のモバイルネットワークに関する情報は、モバイル・ネットワーク・タイプ、モバイルネットワーク識別子、およびモバイル・ネットワーク・インデックスのうちの少なくとも1つを含み、モバイル・ネットワーク・インデックスは、ユーザ機器上に記憶されているモバイル・ネットワーク・タイプおよび／またはモバイルネットワーク識別子を指示するのに使用される。
【００９６】
本実施形態において、SMは、事前に確立されたデータチャネルを介して第1のモバイルネットワークへモバイルネットワーク切り換えメッセージを送信する。事前に確立されるデータチャネルは、第1のモバイルネットワーク上でSMとHSSまたはHLRとの間で確立される有線ネットワークまたは無線ネットワークとすることができる。モバイルネットワーク切り換えメッセージは、第1のモバイルネットワーク上のサービス提供者のUEに、モバイルネットワークを切り換えるよう命令するのに使用され、UEは、サービス提供者のすべてのUEとすることもでき、事業者切り換えを正常に実施しないUEのみとすることができる。モバイルネットワーク切り換えメッセージは、SMのアドレス情報、およびUEの第2のモバイルネットワーク上での加入情報をさらに含むことができる。
【００９７】
ステップS320：第1のモバイルネットワークから、SMに、UEが第1のモバイルネットワークに接続しようと意図していることを通知するのに使用される通知シグナリングメッセージを受信する。
【００９８】
第1のモバイルネットワークがSMによって第1のモバイルネットワークへ送信されたモバイルネットワーク切り換えメッセージを受信した後で、UEが第1のモバイルネットワークにアタッチしようとするときに、第1のモバイルネットワークは、SMに、UEが第1のモバイルネットワークに接続しようと意図していることを通知するために、SMへ通知シグナリングメッセージを送信する。通知シグナリングメッセージは、UEの位置情報、UEが利用可能なネットワークのPLMN  ID（Public Land Mobile Network ID）、UEが利用可能な無線ローカル・エリア・ネットワークのAP  ID（Access Point ID）、UEが利用可能な無線ローカル・エリア・ネットワークのSSID（Service Set Identifier）の各項目のうちの少なくとも1つを含む。第1のモバイルネットワークは、HSSまたはHLRを用いてSMへ通知シグナリングメッセージを送信することもでき、SMのアドレスが分かっている場合には、MMEを用いてSMへ通知シグナリングメッセージを直接送信することもでき、SGWまたはPGWを用いてSMへ通知シグナリングメッセージを送信することもできる。
【００９９】
第1のモバイルネットワークがサービス提供者へのサービスを停止するときに、サービス提供者のUEがアタッチを開始する場合に、第1のモバイルネットワークは、同時にモバイルネットワーク切り換えメッセージも搬送するアタッチ拒否応答を送信する。この応答を受信した後で、UEは、UEのeUICC能力、PLMN  ID、およびモバイルネットワーク切り換えメッセージを含むアタッチ要求を送信する。第1のモバイルネットワークは、SMに、UEが第1のモバイルネットワークに接続しようと意図していることを通知するために、アタッチ要求に従ってSMへ通知シグナリングメッセージを送信する。
【０１００】
ステップS330：UEに第2のモバイルネットワークに切り換えるよう命令するために、第1のモバイルネットワークを用いてUEへモバイルネットワーク切り換えメッセージを送信する。
【０１０１】
UEの第2のモバイルネットワーク上での加入データが第2のモバイルネットワーク上でアクティブ化されている場合、通知シグナリングメッセージの受信後に、SMは、UEに第2のモバイルネットワークに切り換えるよう命令するために、第1のモバイルネットワークを用いてUEへモバイルネットワーク切り換えメッセージを直接送信する。UEの第2のモバイルネットワーク上での加入データが事前に第2のモバイルネットワーク上でアクティブ化されていない場合、SMがUEへモバイルネットワーク切り換えメッセージを送信する前に、SMは第2のモバイルネットワークへプロファイルアクティブ化要求（UE  IDを搬送する。UE  IDは、UEが第1のモバイルネットワークにアタッチするときにUEによって報告されうる）を送信し、プロファイルアクティブ化要求は、第2のモバイルネットワークに、UEの第2のモバイルネットワーク上での加入データをアクティブ化するよう要求するのに使用される。
【０１０２】
SMによってUEへ送信されるモバイルネットワーク切り換えメッセージ（UEの第2のモバイルネットワーク上での加入データをさらに含むことができる）を受信した後で、第1のモバイルネットワークは、UEのアタッチ要求を受信し、UEが第1のモバイルネットワークを用いて第2のモバイルネットワークへ切り換えられるように、ネットワーク切り換えに関連した情報交換サービスだけを提供する。
【０１０３】
本実施形態におけるMMEはLTEネットワーク上のモビリティ管理エンティティデバイスである。本実施形態は、2G／3G上のSGSN、MSC／VLRなどを含む別のモバイルネットワークにも適用可能である。
【０１０４】
本実施形態においては、SMが第1のモバイルネットワークおよび対応するUEへモバイルネットワーク切り換えメッセージを送信し、第1のモバイルネットワークはUEに、UEが第1のモバイルネットワークから第2のモバイルネットワークに正常に切り換えられるように、モバイルネットワーク切り換えを行うための対応するサービスのみを提供する。
【０１０５】
実施形態2
図4は、本発明によるモバイルネットワークを動的に切り換えるための方法の別の実施形態の概略的流れ図である。本実施形態における方法は、ユーザ機器（UE）によって実行され、本方法は以下を含むことができる。
【０１０６】
ステップS410：第1のモバイルネットワークのネットワークデバイスへ、アタッチ要求である第1のネットワーク接続要求を送信する。
【０１０７】
ステップS420：第1のモバイルネットワークのネットワークデバイスから第1のネットワーク接続受け入れメッセージを受信する。第1のネットワーク接続受け入れメッセージは、UEにモバイルネットワークを切り換えるよう命令するのに使用されるモバイルネットワーク切り換えメッセージを含み、モバイルネットワーク切り換えメッセージはサブスクリプションマネージャ（SM）から到来する。
【０１０８】
任意選択で、LTEにおいては、ネットワークデバイスはMMEであり、ユーザ機器（UE）が第1のモバイルネットワークのネットワークデバイスへ第1のネットワーク接続要求を送信するステップの後で、第1のネットワーク接続受け入れメッセージを受信するステップの前に、本方法は、
UEが第1のモバイルネットワークのネットワークデバイスの第1のネットワーク接続応答メッセージを受信するステップであって、第1のネットワーク接続応答メッセージはモバイルネットワーク切り換えメッセージを含み、モバイルネットワーク切り換えメッセージはサブスクリプションマネージャ（SM）から到来するものである、UEが第1のモバイルネットワークのネットワークデバイスの第1のネットワーク接続応答メッセージを受信するステップと、
UEが第1のモバイルネットワークのネットワークデバイスへ、UEのPLMN  IDを含む位置応答メッセージを送信するステップと
をさらに含む。
【０１０９】
第1のモバイルネットワークは対応するサービス提供者のUEへのサービスを停止しており、第1のモバイルネットワークはステップS410でアタッチ要求を拒否するため、第1のネットワーク接続応答メッセージはアタッチ拒否である。拒否応答を受信した後で、UEは、第1のモバイルネットワークのネットワークデバイスへ、アタッチ要求、すなわち位置応答メッセージを再度送信する。位置応答メッセージは、モバイルネットワーク切り換えメッセージをさらに含むことができる。
【０１１０】
第1のネットワーク接続応答メッセージはさらにeUICC要求メッセージとすることができ、位置応答メッセージはeUICC応答メッセージである。
【０１１１】
UEの位置応答メッセージを受信した後で、第1のモバイルネットワークはSMに、UEが第1のモバイルネットワークに接続しようと意図していることを通知し、次いで、SMは、第1のモバイルネットワークを用いてUEへモバイルネットワーク切り換えメッセージを送信する。モバイルネットワーク切り換えメッセージは、UEの第2のモバイルネットワーク上での加入情報を含むことができる。第1のモバイルネットワークは、第1のモバイルネットワーク接続受け入れメッセージにモバイルネットワーク切り換えメッセージを追加するというやり方でUEへモバイルネットワーク切り換えメッセージを送信し、第1のネットワーク接続受け入れメッセージはアタッチ受け入れ、すなわち、UEのアタッチの受け入れであり、第1のモバイルネットワークはUEに、モバイルネットワーク切り換えのための対応するサービスだけを提供する。
【０１１２】
ステップS430：モバイルネットワーク切り換えメッセージに従って第2のモバイルネットワークに接続する。
【０１１３】
任意選択で、2Gまたは3Gにおいては、ネットワークデバイスはサービングGPRSサポート・ノード・デバイス、すなわちSGSNである。
【０１１４】
UEが第1のモバイルネットワークのネットワークデバイスから第1のネットワーク接続受け入れメッセージを受信するステップの後で、本方法は、UEが第1のモバイルネットワークのネットワークデバイスへ、モバイルネットワーク切り換えメッセージを含むPDPコンテキストアクティブ化要求を送信し、ネットワークデバイスによって返信されたPDPコンテキストアクティブ化要求応答を受信するステップ、をさらに含む。
【０１１５】
本実施形態においては、第1のモバイルネットワークへの接続に失敗したときに、ユーザ機器を、第1のモバイルネットワークによって返信されたネットワーク切り換え指示情報に従って、第2のモバイルネットワークへさらに切り換えることができ、それによって、第1のモバイルネットワークがサービスを停止するときにユーザ機器のサービスが正常であることが保証される。
【０１１６】
実施形態3
図5は、本発明によるモバイルネットワークを動的に切り換えるための方法のさらに別の実施形態の概略的流れ図である。本実施形態における方法は、第1のモバイルネットワーク側のネットワークデバイスによって実行され、本方法は以下を含むことができる。
【０１１７】
ステップS510：サブスクリプションマネージャ（SM）によって送信された、ユーザ機器（UE）にモバイルネットワークを切り換えるよう命令するのに使用されるモバイルネットワーク切り換えメッセージを受信する。モバイルネットワーク切り換えメッセージは、第2のモバイルネットワークに関する情報を含むことができる。第2のモバイルネットワークに関する情報は、モバイル・ネットワーク・タイプ、モバイルネットワーク識別子、およびモバイル・ネットワーク・インデックスのうちの少なくとも1つを含み、モバイル・ネットワーク・インデックスは、ユーザ機器上に記憶されているモバイル・ネットワーク・タイプおよび／またはモバイルネットワーク識別子を指示するのに使用される。
【０１１８】
ステップS520：サブスクリプションマネージャ（SM）へ、SMに、ユーザ機器（UE）が第1のモバイルネットワークに接続しようと意図していることを通知するのに使用される通知シグナリングメッセージを送信する。通知シグナリングメッセージは、
UEの位置情報、UEが利用可能なネットワークのPLMN  ID、UEが利用可能な無線ローカル・エリア・ネットワークのAP  ID、およびUEが利用可能な無線ローカル・エリア・ネットワークのSSID
の各項目のうちの少なくとも1つを含む。
【０１１９】
ステップS530：第1のモバイルネットワークのネットワークデバイスはSMから、UEに第2のモバイルネットワークに接続するよう命令するのに使用されるモバイルネットワーク切り換えメッセージを受信する。UEの第2のモバイルネットワーク上での加入データが事前に第2のモバイルネットワーク上でアクティブ化されていない場合、モバイルネットワーク切り換えメッセージは、UEの第2のモバイルネットワーク上での加入情報を含む。
【０１２０】
以下は、第1のモバイルネットワーク上で異なるネットワークデバイスによって実行される方法であり、これらのネットワークデバイスは、モバイルネットワーク切り換えプロセスにおいて異なる役割、およびSMとの関係を有する。
【０１２１】
本実施形態において、ネットワークデバイスは、ホーム加入者サーバ（HSS）またはホーム・ロケーション・レジスタ（HLR）を含み、ステップS510で、HSSまたはHLRは、SMからモバイルネットワーク切り換えメッセージを受信する。
【０１２２】
ステップS510とステップS520の間で、HSSまたはHLRは、モビリティ管理エンティティ（MME）によって送信される認証要求または位置更新要求を受信し、MMEへ、モバイルネットワーク切り換えメッセージを含む認証応答または位置更新応答を返信する。ステップS520で、HSSまたはHLRは、SMに、UEが第1のモバイルネットワークに接続しようと意図していることを通知するために、SMへ通知シグナリングメッセージをさらに送信することができる。
【０１２３】
本実施形態においては、LTEシステムについて、ネットワークデバイスはモビリティ管理エンティティ（MME）を含む。MMEによって実行される方法は、以下をさらに含む。
【０１２４】
ステップ1：MMEはUEから、アタッチ要求である第1のネットワーク接続要求を受信する。
【０１２５】
ステップ2：MMEはUEへ、モバイルネットワーク切り換えメッセージを含む第1のネットワーク接続受け入れメッセージを送信する。第1のネットワーク接続受け入れメッセージはアタッチ受け入れである。
【０１２６】
任意選択で、ステップ1とステップ2の間に、本方法は、MMEが、UE、およびHSSまたはHLRと対話する以下のプロセス、すなわち、
MMEが、第1のネットワーク接続要求を受信するステップの後で、HSSまたはHLRへ認証要求または位置更新要求を送信するステップと、
MMEがHSSまたはHLRによって返信される認証応答または位置更新応答を受信するステップであって、認証応答または位置更新応答は（ステップS510でSMからHSSまたはHLRによって受信される）モバイルネットワーク切り換えメッセージを含み、モバイルネットワーク切り換えメッセージはサブスクリプションマネージャ（SM）から到来するものである、MMEがHSSまたはHLRによって返される認証応答または位置更新応答を受信するステップと、
MMEがUEへ、モバイルネットワーク切り換えメッセージを含む第1のネットワーク接続応答メッセージを返信するステップと、
MMEが、UEによって送信された、UEのPLMN  IDなどを含む位置応答メッセージを受信するステップと、
をさらに含む。
【０１２７】
MMEがステップS520で、UEによって送信された位置応答メッセージを受信した後で、MMEは、HSSまたはHLRを用いてSMへ通知シグナリングメッセージを送信する。これは具体的には、MMEがHSSまたはHLRへ、UEのPLMN  IDなどを含む位置応答メッセージを送信し、HSSまたはHLRがSMへ通知シグナリングを送信することとしうる。加えて、ステップS530で、MMEは、SMによって送信されたモバイルネットワーク切り換えメッセージを、HSSまたはHLRを用いて受信し、ステップ2で、UEへモバイルネットワーク切り換えメッセージを送信する。
【０１２８】
任意選択で、認証応答または位置更新応答は、SMのアドレス情報をさらに含み、MMEは、アドレス情報を用いてSMへ通知シグナリングメッセージを直接送信し、SMによって送信されたモバイルネットワーク切り換えメッセージを、アドレス情報を用いて直接受信する。
【０１２９】
任意選択で、ステップ1とステップ2の間に、本方法は、MMEがUE、およびHSSまたはHLRと対話する以下のプロセス、すなわち、
MMEが、第1のネットワーク接続要求を受信するステップの後で、HSSまたはHLRへ認証要求または位置更新要求を送信するステップと、
MMEが、HSSまたはHLRによって返信される、（ステップS510でSMからHSSまたはHLRによって受信される）モバイルネットワーク切り換えメッセージを含む認証応答または位置更新応答を受信するステップと、
MMEがSGWまたはPGWへセッション作成要求を送信し、SGWまたはPGWによって返信されるセッション作成応答を受信するステップと
をさらに含む。
【０１３０】
本実施形態において、ネットワークデバイスはSGWまたはPGWを含む。SGWまたはPGWによって実行される方法は、
SGWまたはPGWが、モバイルネットワーク切り換えメッセージを含むMMEのセッション作成要求を受信するステップと、
SGWまたはPGWが、特定のPCC規則を作成するステップであって、特定のPCC規則は、ネットワーク切り換えを行うためのパケットのみが送信を許されること、またはSMへ送信されるパケットもしくはSMから受信されるパケットのみが許されること、を含む、SGWまたはPGWが、特定のPCC規則を作成するステップと、
SGWまたはPGWがMMEへセッション作成応答を返信するステップと
をさらに含む。
【０１３１】
本実施形態においては、2Gまたは3Gについて、ネットワークデバイスはSGSNを含む。SGSNによって実行される方法は、
SGSNがUEから第1のネットワーク接続要求を受信するステップと、
SGSNが、第1のネットワーク接続要求を受信するステップの後で、HSSまたはHLRへ認証要求または位置更新要求を送信するステップと、
SGSNが、HSSまたはHLRによって返信される、（ステップS510でSMからHSSまたはHLRによって受信される）モバイルネットワーク切り換えメッセージを含む認証応答または位置更新応答を受信するステップと、
SGSNがUEへ、モバイルネットワーク切り換えメッセージを含む第1のネットワーク接続受け入れメッセージを送信するステップであって、第1のネットワーク接続要求はアタッチ要求であり、第1のネットワーク接続受け入れメッセージはアタッチ受け入れである、SGSNがUEへ、モバイルネットワーク切り換えメッセージを含む第1のネットワーク接続受け入れメッセージを送信するステップと、
第1のネットワーク接続受け入れメッセージを受信した後で、UEがSGSNへPDPコンテキストアクティブ化要求を送信するステップと、
SGSNが、UEによって送信された、モバイルネットワーク切り換えメッセージを含むPDPコンテキストアクティブ化要求を受信するステップと、
SGSNがGGSN、SGW、もしくはPGWへ、モバイルネットワーク切り換えメッセージを含むPDPコンテキスト作成要求を送信し、または、GGSN、SGW、もしくはPGWへ、モバイルネットワーク切り換えメッセージを含むセッション作成要求を送信するステップと、
SGSNが、GGSN、SGW、またはPGWによって返信されるPDPコンテキスト作成要求応答またはセッション作成要求応答を受信するステップと、
SGSNがUEへPDPコンテキストアクティブ化要求応答を返信するステップと
をさらに含む。
【０１３２】
実施形態4
図6は、本発明による輻輳制御方法のさらに別の実施形態の概略的シグナリング図である。
【０１３３】
ステップ0：サブスクリプションマネージャ（SM）が、UEの加入情報を「ネットワーク切り換え（MN  Switch）」に変更するために、第1のモバイルネットワーク（MN1）の加入データサーバHLR／HSS1（HLRはホーム・ロケーション・レジスタであり、HSSはホーム加入者サーバであり、どちらも加入データを記憶するのに使用され、この場合にはHLRまたはHSSを選択することができる）へ、モバイルネットワーク切り換えメッセージを送信する。HLR／HSSは、UEの「ネットワーク切り換え（MN  Switch）」指示を記録する。UEは、サービス提供者のすべてのUEとすることもでき、ネットワーク切り換えを正常に実施しない1台のUEまたは一部のUEとすることもできる。
【０１３４】
UEが第1のモバイルネットワークにアタッチしない（例えば、UEが現在アタッチしているMMEに関する情報がHLR／HSSに記録されておらず、あるいは、MMEに関する情報が無効である）場合に、第1のモバイルネットワークは、UEがステップ1を開始するまで後続のプロセスを実行しない。
【０１３５】
UEが第1のモバイルネットワークにアタッチしている（例えば、UEが現在アタッチしているMMEの有効な情報がHLR／HSSに記録されている）場合、本方法は、ステップ0a、HLR／HSSがMMEへ「ネットワーク切り換え（MN  Switch）」指示を含む加入データ更新要求メッセージ（Subscription  Update  Request、すなわち、モバイルネットワーク切り換えメッセージ）を送信する、を含む。UEがMMEにアタッチしている場合、MMEはステップ5aを行う。本方法は、ステップ0b、MMEがHLR／HSSへ、加入データ更新確認メッセージ（Subscription  Update  Ack）を送信する、をさらに含む。ステップ5aとステップ0bとの間に時系列関係はない。
【０１３６】
ステップ1：eUICCがインストールされているUEが、モビリティ管理エンティティデバイス（MME）へ、アタッチ要求（Attach  Request）メッセージを送信する。MMEは、UEが最初に加入契約を結ぶモバイルネットワークMN1上のデバイスとすることもでき、ローミングの場合には、MMEは、MN1とのローミングプロトコルを有する在圏ネットワーク上のデバイスとすることができる。
【０１３７】
ステップ2：MMEはHLR／HSS1へ認証要求（Authentication  Request）メッセージを送信する。
【０１３８】
ステップ3：HLR／HSS1は、ステップ0での記録された「ネットワーク切り換え（MN  Switch）」指示に従って、UEがモバイルネットワーク切り換えを実施する必要があると決定し、MMEへ認証応答（Authentication  Response）メッセージを送信する。位置更新確認メッセージは、「ネットワーク切り換え（MN  Switch）」指示を含む。
【０１３９】
HLR／HSS1によってMMEへ送信される「ネットワーク切り換え（MN  Switch）」指示は、前述の認証（Authentication）手順が実行された後の位置更新手順において、HLR／HSS1によってMMEへも送信することができる。すなわち、ステップ2で、MMEはHLR／HSS1へ位置更新要求（Update  Location  Request）メッセージを送信し、ステップ3で、HLR／HSS1はMMEへ位置更新確認（Update  Location  Ack）メッセージを送信し、確認メッセージは、「ネットワーク切り換え（MN  Switch）」指示を含む。
【０１４０】
MMEは、以下のステップ4aおよびステップ4b、またはステップ5aおよびステップ5bを行う。
【０１４１】
ステップ4a：MMEは「ネットワーク切り換え（MN  Switch）」指示を受信し、UEへ、「ネットワーク切り換え（MN  Switch）」指示を含むAttach  Rejectメッセージを送信する。
【０１４２】
ステップ4b：UEは、ステップ4aで受信された「ネットワーク切り換え（MN  Switch）」指示に従ってMMEへ、UEのeUICC能力指示またはネットワーク切り換え指示（MN  Switch）を含むAttach  Requestメッセージを送信する。このメッセージはPLMN  ID情報を含むことができ、PLMN  ID情報は、UEの位置の周囲の利用可能なセルラネットワークのPLMN  IDを指示する。またこのメッセージは、AP  ID情報またはSSID情報をさらに含むことができ、AP  ID情報またはSSID情報は、UEの位置の周囲の利用可能な無線ローカル・エリア・ネットワークのAP  IDまたはSSIDを指示する。
【０１４３】
ステップ5a：MMEは、ステップ3で受信された「ネットワーク切り換え（MN  Switch）」指示に従って、UEへ、eUICC  Requestメッセージを送信する。このメッセージは、「ネットワーク切り換え（MN  Switch）」指示を含むことができる。
【０１４４】
ステップ5b：UEはMMEへ、UEのeUICC能力指示またはネットワーク切り換え指示（MN  Switch）を含むeUICC  Responseメッセージを送信する。このメッセージはPLMN  ID情報を含むことができ、PLMN  ID情報は、UEの位置の周囲の利用可能なセルラネットワークのPLMN  IDを指示する。またこのメッセージは、AP  ID情報またはSSID情報をさらに含むことができ、AP  ID情報またはSSID情報は、UEの位置の周囲の利用可能な無線ローカル・エリア・ネットワークのAP  IDまたはSSIDを指示する。
【０１４５】
ステップ6：MMEはHLR／HSS1へ、位置更新要求（Update  Location  Request）メッセージを送信する。このメッセージは、UEのeUICC能力指示、UEの現在位置情報（セル識別情報（セルID）やロケーションエリア識別情報RA／LA／TA）、UEの周囲の利用可能なセルラネットワークのPLMN  ID、およびUEの周囲の利用可能な無線ローカル・エリア・ネットワークのAP  IDまたはSSIDといった、1つまたは複数の情報を含むことができる。UEの位置情報はeNodeBによってMMEへ送信することができ、eNodeBはUEによって送信されたメッセージをMMEへ転送する。
【０１４６】
ステップ7：HLR／HSS1はSMへNotification  Requestメッセージを送信する。このメッセージは、UEの現在位置情報（セル識別情報（セルID）やロケーションエリア識別情報RA／LA／TA）、UEの周囲の利用可能なセルラネットワークのPLMN  ID、およびUEの周囲の利用可能な無線ローカル・エリア・ネットワークのAP  IDまたはSSIDといった、1つまたは複数の情報を含むことができる。
【０１４７】
ステップ8：SMは、第2のモバイルネットワーク（MN2）のHLR／HSS2へ、プロファイルアクティブ化要求（Activate  Profile  Request）メッセージを送信し、このメッセージは、UEのIMSIや、SMによってUEに割り振られる識別情報といったUEの識別情報を含む。HLR／HSS2はSMへ、Activate  Profile  Responseメッセージを送信し、このメッセージは、UEのためにMN2によって提供されるモバイルネットワーク情報（加入情報）を含むことができ、モバイルネットワーク情報は加入情報などと呼ぶこともできる。このプロセスでは、UEのMN2上での加入データのアクティブ化が実施される。UEの加入データがMN2上でアクティブ化されている場合、このステップは行われなくてよい。
【０１４８】
ステップ9：SMはHLR／HSS1へ、UEのMN2上でのモバイルネットワーク情報Subscription  profileを含むNotification  Responseメッセージを送信する。MN2のモバイルネットワーク情報がUE上で事前構成されている場合、前述の情報は含められなくてよい。この場合には、SMは、UEにMN2のモバイルネットワーク情報をアクティブ化し、第2のモバイルネットワーク（MN2）に切り換えるよう命令するために、メッセージにMN  Switch指示を追加する。Notification  Responseメッセージは、「ネットワーク切り換え完了」指示も含むことができ、HLR／HSSは、「ネットワーク切り換え完了」指示に従って、UEの以前に記録された「ネットワーク切り換え」指示を削除し、または「ネットワーク切り換え」指示を「完了済み」に設定する。
【０１４９】
ステップ10：HLR／HSS1はMMEへ、Update  Location  Ackメッセージを送信する。このメッセージは、UEに、MN2のモバイルネットワーク情報をアクティブ化し、MN2に切り換えるよう命令するために、UEのMN2上でのモバイルネットワーク情報Subscription  profileまたはMN  Switch指示を含む。
【０１５０】
ステップ11：MMEはUEへ、Attach  Acceptメッセージを送信する。このメッセージは、UEに、MN2のモバイルネットワーク情報をアクティブ化し、MN2に切り換えるよう命令するために、UEのMN2上でのモバイルネットワーク情報Subscription  profileまたはMN  Switch指示を含む。
【０１５１】
ステップ12：MN2の指示情報を受信した後で、UEはMMEへAttach  Completeメッセージを送信する。
【０１５２】
ステップ13：UEは、MN2への切り換えの受信されたネットワーク切り換え指示情報（MN2のモバイルネットワーク情報Subscription  profileおよび／またはMN  Switch指示）に従って、新しいMNへの切り換えを実施する。例えば、UEは、MN1からデタッチし、UE上のMN2のモバイルネットワーク情報をアクティブ化し、MN2へのアタッチの処理を行い、あるいは、UEがローミング状態にある場合には、UEは、アタッチを実施するために、ローミングエリア内にあり、MN2とのローミングプロトコルを有する在圏ネットワークを選択する。
【０１５３】
本実施形態におけるMMEはLTEネットワーク上のモビリティ管理エンティティデバイスである。本実施形態は、2G／3Gネットワーク上のサービングGPRSサポート・ノード（SGSN）、モバイル切り換えセンタ／ビジタ・ロケーション・レジスタ（MSC／VLR）などを含む、別のモバイルネットワークにも適用可能である。それに対応して、流れ図内のeNodeB  eNodeBを、基地局制御装置（BSC）または無線ネットワーク制御装置（RNC）とすることもできる。
【０１５４】
実施形態5
図7は、本発明による輻輳制御方法のさらに別の実施形態の概略的シグナリング図であり、本方法は以下を含む。
【０１５５】
ステップ0：実施形態4のステップ0と同じ。
【０１５６】
UEが第1のモバイルネットワークにアタッチしない（例えば、UEが現在アタッチしているMMEに関する情報がHLR／HSSに記録されておらず、あるいは、MMEに関する情報が無効である）場合に、第1のモバイルネットワークは、UEがステップ1を開始するまで後続のプロセスを実行しない。
【０１５７】
UEが第1のモバイルネットワークにアタッチしている（例えば、UEが現在アタッチしているMMEの有効な情報がHLR／HSSに記録されている）場合、本方法は、ステップ0a、HLR／HSSがMMEへ「ネットワーク切り換え（MN  Switch）」指示を含む加入データ更新要求メッセージ（Subscription  Update  Request、すなわち、モバイルネットワーク切り換えメッセージ）を送信する、をさらに含む。UEがMMEにアタッチしている場合、MMEはステップ4を行う。本方法は、ステップ0b、MMEがHLR／HSSへ、加入データ更新確認メッセージ（Subscription  Update  Ack）を送信する、をさらに含む。ステップ4とステップ0bとの間に時系列関係はない。
【０１５８】
ステップ1：UEはMMEへAttach  Requestメッセージを送信する。このメッセージは、UEがeUICC能力を有することを指示するeUICC指示を含む
【０１５９】
ステップ2：MMEはHLR／HSS1へAuthentication  Requestメッセージを送信する。このメッセージは、UEのeUICC能力指示を搬送することができる
【０１６０】
ステップ3：HLR／HSS1はMMEへ、「ネットワーク切り換え（MN  Switch）」指示を含むAuthentication  Responseメッセージを送信する。
【０１６１】
ステップ4：MMEはUEへeUICC  Requestメッセージを送信する。このメッセージは、UEに、UEの位置の周囲の利用可能なセルラネットワークのPLMN  IDおよび／またはUEの周囲の利用可能な無線ローカル・エリア・ネットワークのAP  IDもしくはSSIDを提供するよう要求するために、「近くの利用可能なモバイルネットワーク」指示を含むことができる。
【０１６２】
ステップ5：UEはMMEへeUICC  Responseメッセージを送信する。このメッセージは、PLMN  ID情報、AP  ID情報、およびSSID情報のうちの少なくとも1つを含み、PLMN  ID情報は、UEの位置の周囲の利用可能なセルラネットワークのPLMN  IDを指示するのに使用され、AP  ID情報またはSSID情報は、UEの位置の周囲の利用可能な無線ローカル・エリア・ネットワークのAP  IDまたはSSIDを指示する。
【０１６３】
ステップ6からステップ13は実施形態4のステップ6からステップ13と同じであり、ここでは詳細を繰り返さない。
【０１６４】
本実施形態におけるMMEはLTEネットワーク上のモビリティ管理エンティティデバイスである。本実施形態は、2G／3G上のSGSN、MSC／VLRなどを含む別のモバイルネットワークにも適用可能である。それに対応して、流れ図内のeNodeBをBSCまたはRNCとすることができる。
【０１６５】
実施形態6
図8は、本発明による輻輳制御方法のさらに別の実施形態の概略的シグナリング図であり、本方法は以下を含む。
【０１６６】
ステップ0からステップ2：実施形態4のステップ0からステップ2と同じ。
【０１６７】
ステップ3：HLR／HSS1は、ステップ0で受信されたMN  Switch指示に従って、MMEへ送信される認証応答（Authentication  Response）メッセージまたは位置更新確認（Update  Location  Ack）メッセージに、SMのアドレス情報を追加することができる。SMのアドレスが提供される場合には、MN  Switch指示は任意選択である。SMのアドレスは、ステップ0でHLR／HSS1のためにSMによって提供することもでき、HLR／HSS1において事前構成することもできる。
【０１６８】
ステップ4およびステップ5：実施形態4のステップ4およびステップ5と同じ。
【０１６９】
ステップ6：MMEはSMへNotification  Requestメッセージを送信する。このメッセージは、UEの現在位置情報（セル識別情報（セルID）やロケーションエリア識別情報RA／LA／TA）、UEの周囲の利用可能なセルラネットワークのPLMN  ID、およびUEの周囲の利用可能な無線ローカル・エリア・ネットワークのAP  ID／SSIDといった、1つまたは複数の情報を含むことができる。
【０１７０】
ステップ7：実施形態4のステップ8と同じ。
【０１７１】
ステップ8：SMはMMEへNotification  Responseメッセージを送信する。このメッセージは、UEのMN2上でのモバイルネットワーク情報Subscription  profileを含む。MN2のモバイルネットワーク情報がUE上で事前構成されている場合、前述の情報は含められなくてよく、この場合には、SMは、UEにMN2のモバイルネットワーク情報をアクティブ化し、MN2に切り換えるよう命令するために、メッセージにMN  Switch指示を追加する。
【０１７２】
ステップ8a：SMはHLR／HSSへ加入データ更新を送信する。加入データ更新メッセージは「ネットワーク切り換え完了」指示を含み、HLR／HSSは、「ネットワーク切り換え完了」指示に従って、UEの以前に記録された「ネットワーク切り換え」を削除し、または「ネットワーク切り換え」指示を［完了済み」に設定する。
【０１７３】
ステップ9からステップ11：実施形態4のステップ11からステップ13と同じ。
【０１７４】
本実施形態におけるMMEはLTEネットワーク上のモビリティ管理エンティティデバイスである。本実施形態は、2G／3G上のSGSN、MSC／VLRなどを含む別のモバイルネットワークにも適用可能である。それに対応して、流れ図内のeNodeBをBSCまたはRNCとすることができる。
【０１７５】
実施形態7
図9は、本発明による輻輳制御方法のさらに別の実施形態の概略的シグナリング図である。本実施形態と実施形態5との違いは、主に、SMが、MN切り換え、すなわち、ステップ6およびステップ8を開始するために、MMEから Notification  Requestメッセージを直接受信するという点にある。本実施形態におけるモバイルネットワークを動的に切り換えるための方法のプロセスは以下を含む。
【０１７６】
ステップ0からステップ2：実施形態5のステップ0からステップ2と同じ。
【０１７７】
ステップ3：HLR／HSS1は、ステップ0で受信されたMN  Switch指示および／またはステップ2で受信されたeUICC指示に従って、MMEへ送信されるべき認証応答（Authentication  Response）メッセージに、SMのアドレス情報を追加することができる。SMのアドレスが提供される場合には、MN  Switch指示は任意選択である。SMのアドレスは、ステップ0でHLR／HSS1のためにSMによって提供することもでき、HLR／HSS1において事前構成することもできる。
【０１７８】
ステップ4およびステップ5：実施形態5のステップ4およびステップ5と同じ。
【０１７９】
ステップ6：MMEはSMへNotification  Requestメッセージを送信する。このメッセージは、UEの現在位置情報（セル識別情報（セルID）やロケーションエリア識別情報RA／LA／TA）、UEの周囲の利用可能なセルラネットワークのPLMN  ID、およびUEの位置の周囲の利用可能な無線ローカル・エリア・ネットワークのAP  IDまたはSSIDといった、1つまたは複数の情報を含むことができる。
【０１８０】
ステップ7：実施形態5のステップ8と同じ。
【０１８１】
ステップ8：SMはMMEへNotification  Responseメッセージを送信する。このメッセージは、UEのMN2上でのモバイルネットワーク情報Subscription  profileを含む。MN2のモバイルネットワーク情報がUE上で事前構成されている場合、前述の情報は含められなくてよく、この場合には、SMは、UEにMN2のモバイルネットワーク情報をアクティブ化し、MN2に切り換えるよう命令するために、メッセージにMN  Switch指示を追加する。
【０１８２】
ステップ8a：SMはHLR／HSSへ加入データ更新を送信する。加入データ更新メッセージは「ネットワーク切り換え完了」指示を含み、HLR／HSSは、「ネットワーク切り換え完了」指示に従って、UEの以前に記録された「ネットワーク切り換え」を削除し、または「ネットワーク切り換え」指示を［完了済み」に設定する。
【０１８３】
ステップ9からステップ11：実施形態5のステップ11からステップ13と同じ。
【０１８４】
本実施形態におけるMMEはLTEネットワーク上のモビリティ管理エンティティデバイスである。本実施形態は、2G／3G上のSGSN、MSC／VLRなどを含む別のモバイルネットワークにも適用可能である。それに対応して、流れ図内のeNodeBをBSCまたはRNCとすることができる。
【０１８５】
実施形態8
図10は、本発明による輻輳制御方法のさらに別の実施形態の概略的シグナリング図であり、本方法は以下を含む。
【０１８６】
ステップ0：SMが、UEの加入情報を「ネットワーク切り換え（MN  Switch）」に変更するために、MN1の加入データサーバHLR／HSS1（HLRはホーム・ロケーション・レジスタであり、HSSはホーム加入者サーバであり、どちらも加入データを記憶するのに使用され、この場合にはHLRまたはHSSを選択することができる）へ、加入データ更新を送信する。UEは、サービス提供者のすべてのUEとすることもでき、モバイルネットワーク切り換えを正常に実施しない一部のUEまたは特定のUEとすることもできる。
【０１８７】
UEが第1のモバイルネットワークにアタッチしない（例えば、UEが現在アタッチしているMMEに関する情報がHLR／HSSに記録されておらず、あるいは、MMEに関する情報が無効である）場合に、第1のモバイルネットワークは、UEがステップ1を開始するまで後続のプロセスを実行しない。
【０１８８】
UEが第1のモバイルネットワークにアタッチしている（例えば、UEが現在アタッチしているMMEの有効な情報がHLR／HSSに記録されている）場合、本方法は、ステップ0a、HLR／HSSがMMEへ「ネットワーク切り換え（MN  Switch）」指示を含む加入データ更新要求メッセージ（Subscription  Update  Request）を送信する、をさらに含む。UEがMMEにアタッチしている場合、MMEはステップ4を行う。本方法は、ステップ0b、MMEがHLR／HSSへ、加入データ更新確認メッセージ（Subscription  Update  Ack）を送信する、をさらに含む。ステップ4とステップ0bとの間に時系列関係はない。
【０１８９】
ステップ1：eUICCがインストールされているUEがMMEへAttach  Requestメッセージを送信する。MMEは、UEが最初に加入契約を結ぶモバイルネットワークMN1上のデバイスとすることもでき、ローミングの場合には、MMEは、MN1とのローミングプロトコルを有する在圏ネットワーク上のデバイスとすることができる。
【０１９０】
ステップ2：MMEはHLR／HSS1へ、位置更新要求（Update  Location  Request）メッセージを送信する。
【０１９１】
ステップ3：HLR／HSS1は、ステップ0でHLR／HSS1によって受信されたMN  Switchに従ってMMEへ位置更新確認（Update  Location  Ack）メッセージを送信する。確認メッセージは、「ネットワーク切り換え（MN  Switch）」指示を含む。
【０１９２】
ステップ4：MMEはゲートウェイデバイスSGWおよびPGWへ「ネットワーク切り換え（MN  Switch）」指示を含むセッション作成要求（Create  Session  Request）メッセージを送信する（MMEがSGWへセッション作成要求メッセージを送信し、SGWがPGWへセッション作成要求を送信する）。または、
MMEがステップ0aでHLR／HSSによって送信された「ネットワーク切り換え」指示を受信し、UEのセッションが確立されている場合には、MMEはゲートウェイデバイスSGWおよびPGWへ、「ネットワーク切り換え（MN  Switch）」指示を含むベアラ更新要求（Update  Bearer  Request）を送信する。
【０１９３】
ステップ5：PGWはベアラを確立し、または更新し、受信された「ネットワーク切り換え（MN  Switch）」指示に従って、特定のポリシーおよび課金制御（PCC）規則を実行する。例えば、パケットフィルタリング規則（Packet  Filter）が、ネットワーク切り換えに関連したパケットだけが送信を許されるように、またはSMへ送信されるパケットもしくはSMから受信されたパケットだけが許されるように変更される。PCC規則は、PGW上で事前構成することもでき、ポリシーおよび課金制御規則機能デバイス（PCRF）（Policy and Charging Rules Function）から取得することもできる。すなわち、セッション作成要求メッセージを受信した後で、PGWはPCRFへ、「ネットワーク切り換え（MN  Switch）」指示を含むメッセージを送信し、PCRFは、「ネットワーク切り換え（MN  Switch）」指示に従って、PGWへ特定のPCC規則を送信する。
【０１９４】
ステップ6：PGWはSGWおよびMMEへ、セッション作成応答（Create  Session  Response）メッセージまたはベアラ更新応答メッセージ（Update  Bearer  Response）を送信する。
【０１９５】
ステップ7：MMEはUEへアタッチ受け入れ（Attach  Accept）メッセージを送信する。このメッセージは、任意選択の「ネットワーク切り換え（MN  Switch）」指示を含むことができる。
【０１９６】
ステップ8a、ステップ8b、ステップ9a、およびステップ9bは任意選択であり、特に、MMEがステップ7でUEのための「ネットワーク切り換え（MN  Switch）」指示を提供する場合には、ステップ8aからステップ9bが行われないこともある。
【０１９７】
ステップ8a：SMがHLR／HSS1を用いてMMEと通信する場合に、MMEはHLR／HSS1へ通知要求（Notification  Request）メッセージを送信し、HLR／HSS1はSMへ通知要求（Notification  Request）メッセージを送信する。通知要求メッセージは、UEのIMSI、UEのIPアドレス、SMによってUEに割り振られる識別情報といった、UE  IDを含む。
【０１９８】
ステップ8b：SMがMMEと直接通信する場合に、MMEはSMへ通知要求（Notification  Request）メッセージを送信する。通知要求メッセージは、UEのIMSI、UEのIPアドレス、SMによってUEに割り振られる識別情報といった、UE  IDを含む。SMのアドレスは、MMEにおいて事前構成することもでき、ステップ3でHLR／HSS1が提供することもできる。
【０１９９】
ステップ9a：ステップ8aに応答して、SMはHLR／HSS1へ通知応答（Notification  Response）メッセージを送信し、HLR／HSS1はMMEへ通知応答（Notification  Response）メッセージを送信する。Notification  Responseメッセージは、「ネットワーク切り換え完了」指示も含むことができ、HLR／HSSは、「ネットワーク切り換え完了」指示に従って、UEの以前に記録された「ネットワーク切り換え」指示を削除し、または「ネットワーク切り換え」指示を「完了済み」に設定する。
【０２００】
ステップ9b：ステップ8bに応答して、SMはMMEへ通知応答（Notification  Response）メッセージを送信する。この場合には、本方法はステップ9c、SMがHLR／HSSへ加入データ更新を送信する、を含む。加入データ更新メッセージは「ネットワーク切り換え完了」指示を含み、HLR／HSSは、「ネットワーク切り換え完了」指示に従って、UEの以前に記録された「ネットワーク切り換え」を削除し、または「ネットワーク切り換え」指示を［完了済み」に設定する。
【０２０１】
ステップ10：SMは、ステップ8aもしくはステップ8bで受信された通知要求に従って、またはUEによって送信され、ステップ11（プルモード）で受信される要求パケットに従って、MN2のHLR／HSS2へ、Activate  Profile  Requestメッセージを送信することができる。このメッセージは、UEのIMSI、UEのIPアドレス、SMによってUEに割り振られる識別情報といったUEの識別情報を含む。またHLR／HSS2はSMへActivate  Profile  Responseメッセージを送信する。このプロセスでは、UEのMN2上での加入データのアクティブ化が実施される。UEの加入データがMN2上でアクティブ化されている場合、このステップは行われなくてよい。
【０２０２】
ステップ11：UEは、UEがMN2の更新されたモバイルネットワーク情報を取得することを可能とするために、MN1上で確立されたデータ接続チャネルを介してSMとデータ交換を行う。具体的な処理は以下の2つの状況を含む。
【０２０３】
方式1：SMは、ステップ8aまたはステップ8bで受信された通知要求メッセージに従って、UEへMN2の更新されたモバイルネットワーク情報を送信する。この方式を一般にプッシュ方式と呼ぶことができる。
【０２０４】
方式2：UEは、ステップ7で受信された「ネットワーク切り換え（MN  Switch）」指示に従って、SMへネットワーク切り換え要求を送信し、SMはUEへMN2の更新されたモバイルネットワーク情報を送信する。この方式を一般にプル方式と呼ぶことができる。
【０２０５】
ステップ12：UEはMNOへ、受信された切り換えの指示情報に従って、新しいMNへの切り換えを実施する。例えば、UEは、MN1からデタッチし、UE上のMN2のモバイルネットワーク情報をアクティブ化し、MN2へのアタッチの処理を行い、あるいは、UEがローミング状態にある場合には、UEは、アタッチを実施するために、ローミングエリア内にあり、MN2とのローミングプロトコルを有する在圏ネットワークを選択する。
【０２０６】
実施形態9
図11は、本発明による輻輳制御方法のさらに別の実施形態の概略的シグナリング図であり、本方法は以下を含む。
【０２０７】
ステップ0からステップ2：実施形態8のステップ0からステップ2と同じ。
【０２０８】
ステップ3：HLR／HSS1は、ステップ0でHLR／HSS1によって受信されたMN  Switchに従ってMMEへ位置更新確認（Update  Location  Ack）メッセージを送信する。確認メッセージは、「ネットワーク切り換え（MN  Switch）」指示を含む。このメッセージは、SMのアドレス情報（SM  Address）をさらに含むことができる。
【０２０９】
ステップ4：MMEはゲートウェイデバイスSGWおよびPGWへ、セッション作成要求（Create  Session  Request）メッセージを送信する（MMEがサービングゲートウェイへセッション作成要求メッセージを送信し、SGWがPGWへセッション作成要求を送信する）。このメッセージは、「ネットワーク切り換え（MN  Switch）」指示および／もしくはSMのアドレス情報を含み、SMのアドレス情報は、ステップ3でHLR／HSS1が提供することもでき、MMEにおいて事前構成することもできる。または
MMEがステップ0aでHLR／HSSによって送信された「ネットワーク切り換え」指示を受信し、UEのセッションが確立されている場合には、MMEはゲートウェイデバイスSGWおよびPGWへ、「ネットワーク切り換え（MN  Switch）」指示を含むベアラ更新要求（Update  Bearer  Request）を送信する。
【０２１０】
ステップ5：実施形態8のステップ5と同じ。
【０２１１】
ステップ6：PGWは、受信された「ネットワーク切り換え（MN  Switch）」指示に従って、SMへ通知要求（Notification  Request）メッセージを送信する。このメッセージは、任意選択の「ネットワーク切り換え（MN  Switch）」指示、UEの識別情報（UEのIPアドレス、またはSMによってUEに割り振られる識別情報）を含む。本ステップにおけるSMのアドレス情報は、ステップ4でPGWによって受信されるSMのアドレス情報とすることもでき、PGWにおいて事前構成することもできる。
【０２１２】
ステップ7：SMは、ステップ6で受信された通知要求に従って、またはUEによって送信され、ステップ11（プルモード）で受信される要求パケットに従って、MN2のHLR／HSS2へプロファイルアクティブ化要求を送信することができる。このメッセージは、UEのIMSI、UEのIPアドレス、SMによってUEに割り振られる識別情報といったUEの識別情報を含む。またHLR／HSS2はSMへプロファイルアクティブ化応答メッセージを送信する。このプロセスでは、UEのMN2上での加入データのアクティブ化が実施される。UEの加入データがMN2上でアクティブ化されている場合、このステップは行われなくてよい。
【０２１３】
SMはHLR／HSSへ加入データ更新を送信する。加入データ更新メッセージは「ネットワーク切り換え完了」指示を含み、HLR／HSSは、「ネットワーク切り換え完了」指示に従って、UEの以前に記録された「ネットワーク切り換え」を削除し、または「ネットワーク切り換え完了」指示を［完了済み」に設定する。
【０２１４】
ステップ8：SMはPGWへ通知応答（Notification  Response）メッセージを送信する。
【０２１５】
ステップ9：実施形態8のステップ6と同じ。
【０２１６】
前述のステップ6からステップ8はステップ5およびステップ9と時系列関係を有さず、この番号順に従って行うこともでき、前述のステップ6からステップ8を、ステップ5の前に行うことも、ステップ9の後に行うこともできる。
【０２１７】
ステップ10：MMEはUEへアタッチ受け入れ（Attach  Accept）メッセージを送信する。このメッセージは、任意選択の「ネットワーク切り換え（MN  Switch）」指示を含むことができる。
【０２１８】
ステップ11：UEは、UEがMN2の更新されたモバイルネットワーク情報を取得することを可能とするために、MN1上で確立されたデータ接続チャネルを介してSMとデータ交換を行う。具体的な処理は以下の2つの状況を含む。
【０２１９】
方式1：SMは、ステップ6で受信された通知要求メッセージに従って、UEへMN2の更新されたモバイルネットワーク情報を送信する。この方式を一般にプッシュ方式と呼ぶことができる。
【０２２０】
方式2：UEは、ステップ10で受信された「ネットワーク切り換え（MN  Switch）」指示に従って、SMへモバイルネットワーク切り換え要求を送信し、SMはUEへMN2の更新されたモバイルネットワーク情報を送信する。この方式を一般にプル方式と呼ぶことができる。
【０２２１】
ステップ12：UEはMN2へ、受信された切り換えの指示情報に従って、新しいMNへの切り換えを実施する。例えば、UEは、MN1からデタッチし、UE上のMN2のモバイルネットワーク情報をアクティブ化し、MN2へのアタッチの処理を行い、あるいは、UEがローミング状態にある場合には、UEは、アタッチを実施するために、ローミングエリア内にあり、MN2とのローミングプロトコルを有する在圏ネットワークを選択する。
【０２２２】
実施形態10
図12は、本発明による輻輳制御方法のさらに別の実施形態の概略的シグナリング図であり、本方法は以下を含む。
【０２２３】
ステップ0：SMが、UEの加入情報を「ネットワーク切り換え（MN  Switch）」に変更するために、MN1の加入データサーバHLR／HSS1（HLRはホーム・ロケーション・レジスタであり、HSSはホーム加入者サーバであり、どちらも加入データを記憶するのに使用され、この場合にはHLRまたはHSSを選択することができる）へ、加入データ更新を送信する。UEは、サービス提供者のすべてのUEとすることもでき、モバイルネットワーク切り換えを正常に実施しない一部のUEまたは特定のUEとすることもできる。
【０２２４】
ステップ1：eUICCがインストールされているUEがSGSNへAttach  Requestメッセージを送信する。SGSNは、UEが最初に加入契約を結ぶモバイルネットワークMN1ネットワーク上のデバイスとすることもでき、ローミングの場合には、SGSNは、MN1とのローミングプロトコルを有する在圏ネットワーク上のデバイスとすることができる。
【０２２５】
ステップ2：SGSNはHLR／HSS1へ位置更新要求（Update  Location  Request）メッセージを送信する。
【０２２６】
ステップ3：HLR／HSS1は、ステップ0でHLR／HSS1によって受信されたMN  Switchに従って、SGSNへ位置更新確認（Update  Location  Ack）メッセージを送信する。確認メッセージは、「ネットワーク切り換え（MN  Switch）」指示を含む。
【０２２７】
ステップ4：SGSNはUEへアタッチ受け入れ（Attach  Accept）メッセージを送信する。このメッセージは、任意選択の「ネットワーク切り換え（MN  Switch）」指示を含むことができる。
【０２２８】
ステップ5：UEは、受信された「ネットワーク切り換え（MN  Switch）」指示に従って、SGSNへ、「ネットワーク切り換え（MN  Switch）」指示を含むパケット・データ・プロトコル（Packet Data Protocol、PDP）・コンテキストアクティブ化要求（Activate  PDP  Context  Request）メッセージを送信する。
【０２２９】
SGSNはステップ6aまたはステップ6bを行う。SGSNに接続されたゲートウェイデバイスがGGSNである（例えば、SGSNはGn／Gp  SGSNである）場合には、ステップ6aが行われ、SGSNに接続されたゲートウェイデバイスがSGWおよびPGWである（例えば、SGSNはS4  SGSNである）場合には、ステップ6bが行われる。
【０２３０】
ステップ6a：SGSNは、ステップ5で受信された「ネットワーク切り換え（MN  Switch）」指示またはステップ3で受信された「ネットワーク切り換え（MN  Switch）」指示に従って、GGSNへ、「ネットワーク切り換え（MN  Switch）」指示を含むPDPコンテキスト作成要求（Create  PDP  Context  Request）メッセージを送信する。
【０２３１】
ステップ6b：SGSNは、ステップ5で受信された「ネットワーク切り換え（MN  Switch）」指示またはステップ3で受信された「ネットワーク切り換え（MN  Switch）」指示に従って、ゲートウェイデバイスSGWおよびPGWへ、「ネットワーク切り換え（MN  Switch）」指示を含むセッション作成要求（Create  Session  Request）メッセージを（SGSNがSGWへセッション作成要求メッセージを送信し、SGWがPGWへセッション作成要求メッセージを送信する）送信する。
【０２３２】
ステップ7からステップ10：実施形態6のステップ5からステップ8と同じ。実施形態6におけるPGWの処理が本実施形態におけるGGSNの処理に適用可能である。
【０２３３】
ステップ11a：GGSNは、ステップ6aに応答してSGSNへ、PDPコンテキスト作成応答（Create  PDP  Context  Response）メッセージを送信する。
【０２３４】
ステップ11b：PGWは、ステップ6bに応答してSGWおよびMMEへ、セッション作成応答（Create  Session  Response）メッセージを送信する。
【０２３５】
ステップ12：SGSNはUEへPDPコンテキストアクティブ化応答（Activate  PDP  Context  Response）メッセージを送信する。
【０２３６】
ステップ13からステップ14：実施形態6のステップ11からステップ12と同じ。
【０２３７】
実施形態11
図13は、本発明による輻輳制御方法のさらに別の実施形態の概略的シグナリング図であり、本方法は以下を含む。
【０２３８】
ステップ0からステップ7：実施形態10のステップ0からステップ7と同じ。
【０２３９】
ステップ8a、ステップ8b、およびステップ9は、実施形態10のステップ11a、ステップ11b、およびステップ12と同じである。
【０２４０】
ステップ10a、ステップ10b、ステップ11a、ステップ11b、およびステップ12からステップ14は、実施形態8のステップ8a、ステップ8b、ステップ9a、ステップ9b、およびステップ10からステップ12と同じである。
実施形態12
【０２４１】
図14は、本発明によるサブスクリプションマネージャ（SM）の概略的構造図である。本SMは、切り換えメッセージ送信部1410と、シグナリングメッセージ受信部1420と、切り換え指示部1430とを含む。
【０２４２】
切り換えメッセージ送信部1410は、第1のモバイルネットワークへ、ユーザ機器（UE）がネットワーク切り換えを必要とすることを指示するのに使用されるモバイルネットワーク切り換えメッセージを送信する。モバイルネットワーク切り換えメッセージは、第2のモバイルネットワークに関する情報を含むことができる。第2のモバイルネットワークに関する情報は、モバイル・ネットワーク・タイプ、モバイルネットワーク識別子、およびモバイル・ネットワーク・インデックスのうちの少なくとも1つを含み、モバイル・ネットワーク・インデックスは、ユーザ機器上に記憶されているモバイル・ネットワーク・タイプおよび／またはモバイルネットワーク識別子を指示するのに使用される。
【０２４３】
本実施形態において、SMは、事前に確立されたデータチャネルを介して第1のモバイルネットワークへモバイルネットワーク切り換えメッセージを送信する。事前に確立されるデータチャネルは、第1のモバイルネットワーク上でSMとHSSまたはHLRとの間で確立される有線ネットワークまたは無線ネットワークとすることができる。モバイルネットワーク切り換えメッセージは、第1のモバイルネットワーク上のサービス提供者のUEに、モバイルネットワークを切り換えるよう命令するのに使用され、UEは、サービス提供者のすべてのUEとすることもでき、事業者切り換えを正常に実施しないUEのみとすることができる。モバイルネットワーク切り換えメッセージは、SMのアドレス情報、およびUEの第2のモバイルネットワーク上での加入情報をさらに含むことができる。
【０２４４】
シグナリングメッセージ受信部1420は、第1のモバイルネットワークから、SMに、UEが第1のモバイルネットワークに接続しようと意図していることを通知するのに使用される通知シグナリングメッセージを受信する。
【０２４５】
第1のモバイルネットワークがSMによって第1のモバイルネットワークへ送信されたモバイルネットワーク切り換えメッセージを受信した後で、UEが第1のモバイルネットワークにアタッチしようとするときに、第1のモバイルネットワークは、SMに、UEが第1のモバイルネットワークに接続しようと意図していることを通知するために、SMへ通知シグナリングメッセージを送信する。通知シグナリングメッセージは、UEの位置情報、UEが利用可能なネットワークのPLMN  ID（Public Land Mobile Network ID）、UEが利用可能な無線ローカル・エリア・ネットワークのAP  ID（Access Point ID）、UEが利用可能な無線ローカル・エリア・ネットワークのSSID（Service Set Identifier）の各項目のうちの少なくとも1つを含む。第1のモバイルネットワークは、HSSまたはHLRを用いてSMへ通知シグナリングメッセージを送信することもでき、SMのアドレスが分かっている場合には、MMEを用いてSMへ通知シグナリングメッセージを直接送信することもでき、SGWまたはPGWを用いてSMへ通知シグナリングメッセージを送信することもできる。
【０２４６】
第1のモバイルネットワークがサービス提供者へのサービスを停止するときに、サービス提供者のUEがアタッチを開始する場合に、第1のモバイルネットワークは、同時にモバイルネットワーク切り換えメッセージも搬送するアタッチ拒否応答を送信する。この応答を受信した後で、UEは、UEのeUICC能力、PLMN  ID、およびモバイルネットワーク切り換えメッセージを含むアタッチ要求を送信する。第1のモバイルネットワークは、SMに、UEが第1のモバイルネットワークに接続しようと意図していることを通知するために、アタッチ要求に従ってSMへ通知シグナリングメッセージを送信する。
【０２４７】
切り換え指示部1430は、UEに第2のモバイルネットワークに切り換えるよう命令するために、第1のモバイルネットワークを用いてUEへモバイルネットワーク切り換えメッセージを送信する。
【０２４８】
UEの第2のモバイルネットワーク上での加入データが第2のモバイルネットワーク上でアクティブ化されている場合、通知シグナリングメッセージの受信後に、SMは、UEに第2のモバイルネットワークに切り換えるよう命令するために、第1のモバイルネットワークを用いてUEへモバイルネットワーク切り換えメッセージを直接送信する。
【０２４９】
本SMは、プロファイルアクティブ化要求部1440をさらに含む。UEの第2のモバイルネットワーク上での加入データが事前に第2のモバイルネットワーク上でアクティブ化されていない場合、SMがUEへモバイルネットワーク切り換えメッセージを送信する前に、プロファイルアクティブ化要求部は、第2のモバイルネットワークへプロファイルアクティブ化要求（UE  IDを搬送する。UE  IDは、UEが第1のモバイルネットワークにアタッチするときにUEによって報告されうる）を送信し、プロファイルアクティブ化要求は、第2のモバイルネットワークに、UEの第2のモバイルネットワーク上での加入データをアクティブ化するよう要求するのに使用される。
【０２５０】
SMによってUEへ送信されるモバイルネットワーク切り換えメッセージ（UEの第2のモバイルネットワーク上での加入データをさらに含むことができる）を受信した後で、第1のモバイルネットワークは、UEのアタッチ要求を受信し、UEが第1のモバイルネットワークを用いて第2のモバイルネットワークへ切り換えられるように、ネットワーク切り換えに関連した情報交換サービスだけを提供する。
【０２５１】
本実施形態におけるMMEはLTEネットワーク上のモビリティ管理エンティティデバイスである。本実施形態は、2G／3G上のSGSN、MSC／VLRなどを含む別のモバイルネットワークにも適用可能である。
【０２５２】
本実施形態においては、SMが第1のモバイルネットワークおよび対応するUEへモバイルネットワーク切り換えメッセージを送信し、第1のモバイルネットワークはUEに、UEが第1のモバイルネットワークから第2のモバイルネットワークに正常に切り換えられるように、モバイルネットワーク切り換えを行うための対応するサービスのみを提供する。
【０２５３】
実施形態13
図15は、本発明によるユーザ機器の概略的構造図である。本ユーザ機器は、要求送信部1510と、メッセージ受信部1520と、ネットワーク切り換え部1530とを含む。
【０２５４】
要求送信部1510は、第1のモバイルネットワークのネットワークデバイスへ、アタッチ要求である第1のネットワーク接続要求を送信する。
【０２５５】
メッセージ受信部1520は、第1のモバイルネットワークのネットワークデバイスから第1のネットワーク接続受け入れメッセージを受信する。第1のネットワーク接続受け入れメッセージは、UEにモバイルネットワークを切り換えるよう命令するのに使用されるモバイルネットワーク切り換えメッセージを含み、モバイルネットワーク切り換えメッセージはサブスクリプションマネージャ（SM）から到来する。
【０２５６】
任意選択で、LTEにおいては、ネットワークデバイスはMMEであり、本ユーザ機器（UE）は、
第1のモバイルネットワークのネットワークデバイスの第1のネットワーク接続応答メッセージを受信する、応答メッセージ受信部であって、第1のネットワーク接続応答メッセージはモバイルネットワーク切り換えメッセージを含み、モバイルネットワーク切り換えメッセージはサブスクリプションマネージャ（SM）から到来するものである、応答メッセージ受信部と、
第1のモバイルネットワークのネットワークデバイスへ、UEのPLMN  IDを含む位置応答メッセージを送信する、位置情報送信部と
をさらに含む。第1のモバイルネットワークは対応するサービス提供者のUEへのサービスを停止しており、第1のモバイルネットワークは要求部によって送信されるアタッチ要求を拒否するため、第1のネットワーク接続応答メッセージはアタッチ拒否である。拒否応答を受信した後で、UEは、第1のモバイルネットワークのネットワークデバイスへ、アタッチ要求、すなわち位置応答メッセージを再度送信する。位置応答メッセージは、モバイルネットワーク切り換えメッセージをさらに含むことができる。
【０２５７】
第1のネットワーク接続応答メッセージはさらにeUICC要求メッセージとすることができ、位置応答メッセージはeUICC応答メッセージである。
【０２５８】
UEの位置応答メッセージを受信した後で、第1のモバイルネットワークはSMに、UEが第1のモバイルネットワークに接続しようと意図していることを通知し、次いで、SMは、第1のモバイルネットワークを用いてUEへモバイルネットワーク切り換えメッセージを送信する。モバイルネットワーク切り換えメッセージは、UEの第2のモバイルネットワーク上での加入情報を含むことができる。第1のモバイルネットワークは、第1のモバイルネットワーク接続受け入れメッセージにモバイルネットワーク切り換えメッセージを追加するというやり方でUEへモバイルネットワーク切り換えメッセージを送信し、第1のネットワーク接続受け入れメッセージはアタッチ受け入れ、すなわち、UEのアタッチの受け入れであり、第1のモバイルネットワークはUEに、モバイルネットワーク切り換えのための対応するサービスだけを提供する。
【０２５９】
ネットワーク切り換え部1530は、モバイルネットワーク切り換えメッセージに従って第2のモバイルネットワークに接続する。
【０２６０】
任意選択で、2Gまたは3Gにおいては、ネットワークデバイスはサービングGPRSサポート・ノード・デバイス、すなわちSGSNである。
【０２６１】
本ユーザ機器（UE）は、第1のモバイルネットワークのネットワークデバイスへ、モバイルネットワーク切り換えメッセージを含むPDPコンテキストアクティブ化要求を送信し、ネットワークデバイスによって返信されるPDPコンテキストアクティブ化要求応答を受信する、コンテキスト要求部、をさらに含む。
【０２６２】
本実施形態においては、第1のモバイルネットワークへの接続に失敗したときに、ユーザ機器を、第1のモバイルネットワークによって返信されたネットワーク切り換え指示情報に従って、第2のモバイルネットワークへさらに切り換えることができ、それによって、第1のモバイルネットワークがサービスを停止するときにユーザ機器のサービスが正常であることが保証される。
【０２６３】
実施形態14
図16は、本発明によるネットワークデバイスの概略的構造図である。本ネットワークデバイスは、切り換えメッセージ受信部1610と、シグナリングメッセージ送信部1620と、切り換え指示受信部1630とを含む。
【０２６４】
切り換えメッセージ受信部1610は、サブスクリプションマネージャ（SM）によって送信される、ユーザ機器（UE）にモバイルネットワークを切り換えるよう命令するのに使用されるモバイルネットワーク切り換えメッセージを受信する。モバイルネットワーク切り換えメッセージは、第2のモバイルネットワークに関する情報を含むことができる。第2のモバイルネットワークに関する情報は、モバイル・ネットワーク・タイプ、モバイルネットワーク識別子、およびモバイル・ネットワーク・インデックスのうちの少なくとも1つを含み、モバイル・ネットワーク・インデックスは、ユーザ機器上に記憶されているモバイル・ネットワーク・タイプおよび／またはモバイルネットワーク識別子を指示するのに使用される。
【０２６５】
シグナリングメッセージ送信部1620は、サブスクリプションマネージャ（SM）へ、SMに、ユーザ機器（UE）が第1のモバイルネットワークに接続しようと意図していることを通知するのに使用される通知シグナリングメッセージを送信する。通知シグナリングメッセージは、
UEの位置情報、UEが利用可能なネットワークのPLMN  ID、UEが利用可能な無線ローカル・エリア・ネットワークのAP  ID、およびUEが利用可能な無線ローカル・エリア・ネットワークのSSID
の各項目のうちの少なくとも1つを含む。
【０２６６】
切り換え指示受信部1630は、SMから、UEに第2のモバイルネットワークに接続するよう命令するのに使用されるモバイルネットワーク切り換えメッセージを受信する。UEの第2のモバイルネットワーク上での加入データが事前に第2のモバイルネットワーク上でアクティブ化されていない場合、モバイルネットワーク切り換えメッセージは、UEの第2のモバイルネットワーク上での加入情報を含む。
【０２６７】
本ネットワークデバイスは、ホーム加入者サーバ（HSS）またはホーム・ロケーション・レジスタ（HLR）とすることができ、HSSまたはHLRはSMからモバイルネットワーク切り換えメッセージを受信する。図17に示すように、図16に示す構造に基づき、本ネットワークデバイスは、要求受信部1710と応答返信部1720とをさらに含む。
【０２６８】
要求受信部1710は、モビリティ管理エンティティ（MME）によって送信される認証要求または位置更新要求を受信する。応答返信部1720は、MMEへ、モバイルネットワーク切り換えメッセージを含む認証応答または位置更新応答を返信する。加えて、SMに、UEが第1のモバイルネットワークに接続しようと意図していることを通知するために、SMへ通知シグナリングメッセージをさらに送信することもできる。
【０２６９】
本実施形態においては、LTEシステムについて、ネットワークデバイスはモビリティ管理エンティティ（MME）とすることができる。図18に示すように、図16に示す構造に基づき、本ネットワークデバイスは、
UEから、アタッチ要求である第1のネットワーク接続要求を受信する、接続要求受信部1810と、
UEへ、モバイルネットワーク切り換えメッセージを含む、アタッチ受け入れである第1のネットワーク接続受け入れメッセージを送信する、受け入れメッセージ送信部1820と
をさらに含む。
【０２７０】
任意選択で、本ネットワークデバイスは、
第1のネットワーク接続要求が受信された後で、HSSまたはHLRへ認証要求または位置更新要求を送信する、要求送信部と、
HSSまたはHLRによって返信される認証応答または位置更新応答を受信する、応答受信部であって、認証応答または位置更新応答はモバイルネットワーク切り換えメッセージを含み、モバイルネットワーク切り換えメッセージはサブスクリプションマネージャ（SM）から到来するものである、応答受信部と、
UEへ、モバイルネットワーク切り換えメッセージを含む第1のネットワーク接続応答メッセージを返信する、接続要求応答部と、
UEによって送信される、UEのPLMN  IDを含む位置応答メッセージを受信する、位置メッセージ受信部と
をさらに含む。
【０２７１】
MMEがUEによって送信された位置応答メッセージを受信した後で、MMEは、HSSまたはHLRを用いてSMへ通知シグナリングメッセージを送信し、SMによって送信されるモバイルネットワーク切り換えメッセージを、HSSまたはHLRを用いて受信する。
【０２７２】
任意選択で、認証応答または位置更新応答は、SMのアドレス情報をさらに含み、MMEは、アドレス情報を用いてSMへ通知シグナリングメッセージを直接送信し、SMによって送信されるモバイルネットワーク切り換えメッセージを、アドレス情報を用いて直接受信する。
【０２７３】
任意選択で、本ネットワークデバイスは、
第1のネットワーク接続要求が受信された後で、HSSまたはHLRへ認証要求または位置更新要求を送信する、要求送信部と、
HSSまたはHLRによって返信される、モバイルネットワーク切り換えメッセージを含む認証応答または位置更新応答を受信する、応答受信部と、
SGWまたはPGWへセッション作成要求を送信する、セッション作成要求部と、
SGWまたはPGWによって返信されるセッション作成応答を受信する、セッション作成応答受信部と
をさらに含む。
【０２７４】
本ネットワークデバイスはPGWまたはSGWとすることができる。図19に示すように、図16に示す構造に基づき、本ネットワークデバイスは、
モバイルネットワーク切り換えメッセージを含むMMEのセッション作成要求を受信する、セッション作成要求受信部1910と、
ネットワーク切り換えを行うためのパケットのみが送信を許されること、またはSMへ送信されるパケットもしくはSMから受信されるパケットのみが許されること、を含む特定のPCC規則を作成する、PCC規則作成部1920と、
MMEへセッション作成応答を返信する、セッション作成応答返信部1930と
をさらに含む。
【０２７５】
本実施形態においては、2Gまたは3Gについて、ネットワークデバイスはSGSNとすることができる。図20に示すように、図16に示す構造に基づき、本ネットワークデバイスは、
UEから第1のネットワーク接続要求を受信する、接続要求受信部2010と、
UEへ、モバイルネットワーク切り換えメッセージを含む第1のネットワーク接続受け入れメッセージを送信する、受け入れメッセージ送信部2020と
をさらに含む。第1のネットワーク接続要求はアタッチ要求であり、第1のネットワーク接続受け入れメッセージはアタッチ受け入れである。
【０２７６】
任意選択で、本ネットワークデバイスは、
第1のネットワーク接続要求が受信された後で、HSSまたはHLRへ認証要求または位置更新要求を送信する、要求送信部と、
HSSまたはHLRによって返信される、モバイルネットワーク切り換えメッセージを含む認証応答または位置更新応答を受信する、応答受信部と
をさらに含む。
【０２７７】
任意選択で、第1のネットワーク接続受け入れメッセージを受信した後で、UEはSGSNへ、PDPコンテキストアクティブ化要求を送信する。本ネットワークデバイスは、
UEによって送信される、モバイルネットワーク切り換えメッセージを含むPDPコンテキストアクティブ化要求を受信する、コンテキスト要求受信部
をさらに含み、要求送信部はさらに、GGSN、SGW、もしくはPGWへ、モバイルネットワーク切り換えメッセージを含むPDPコンテキスト作成要求を送信し、または、GGSN、SGW、もしくはPGWへ、モバイルネットワーク切り換えメッセージを含むセッション作成要求を送信し、
応答受信部はさらに、GGSN、SGW、またはPGWによって返信されるPDPコンテキスト作成要求応答またはセッション作成要求応答を受信し、また本ネットワークデバイスは、
UEへPDPコンテキストアクティブ化要求応答を返信する、コンテキスト要求応答返信部
をさらに含む。
【０２７８】
本発明の各態様または各態様の可能な実施態様が、具体的には、システム、方法、またはコンピュータプログラム製品として実施されうることを当業者は理解することができる。したがって、本発明の各態様または各態様の可能な実施態様は、ハードウェアのみの実施形態、（ファームウェア、常駐ソフトウェアなどを含む）ソフトウェアのみの実施形態、またはソフトウェアとハードウェアの組み合わせを有する実施形態の形を用いることができ、本明細書ではこれらを一様に、「回路」、「モジュール」、または「システム」と呼ぶ。加えて、本発明の各態様または各態様の可能な実施態様は、コンピュータプログラム製品の形を取ることもでき、コンピュータプログラム製品は、コンピュータ可読媒体に記憶されたコンピュータ可読プログラムコードをいう。
【０２７９】
コンピュータ可読媒体は、コンピュータ可読信号媒体またはコンピュータ可読記憶媒体とすることができる。コンピュータ可読記憶媒体は、それだけに限らないが、電子式、磁気式、光学式、電磁式、赤外線式、または半導体式のシステム、デバイス、または装置、あるいは、それらの任意の適切な組み合わせ、例えば、ランダム・アクセス・メモリ（RAM）、読取り専用メモリ（ROM）、消去可能プログラム可能読取り専用メモリ（EPROMまたはフラッシュメモリ）、光ファイバ、およびコンパクトディスク読取り専用メモリ（CD-ROM）を含む。
【０２８０】
コンピュータ内のプロセッサは、コンピュータ可読媒体に記憶されたコンピュータ可読プログラムコードを読み取り、これにより、プロセッサは、流れ図内の各ステップまたはステップの組み合わせで指定される機能および動作を行うことができる。装置は、ブロック図内の各ブロックまたはブロックの組み合わせで指定される機能および動作を実施するように生成される。
【０２８１】
すべてのコンピュータ可読プログラムコードをユーザコンピュータ上で実行することもでき、一部を独立型ソフトウェアパッケージとしてユーザコンピュータ上で実行することもでき、一部をユーザのコンピュータ上で実行し、一部をリモートコンピュータ上で実行することもでき、すべてのコードをリモートコンピュータまたはサーバ上で実行することもできる。また、いくつかの代替の実施ソリューションにおいては、流れ図内の各ステップまたはブロック図内の各ブロックで指定される機能が例示の順序で行われない場合もあることにも留意すべきである。例えば、関与する機能に依存するものである例示における2つの連続したステップまたは2つのブロックが、実際には、実質的に同時に実行される場合もあり、これらのブロックが逆の順序で実行される場合もある。
【０２８２】
当業者が、本発明の趣旨および範囲を逸脱することなく本発明に様々な改変および変形を加えることができることは自明である。本発明は、これらの改変および変形が添付の特許請求の範囲および添付の特許請求の範囲と均等な技術によって定義される保護の範囲内に含まれるという条件で、これらの改変および変形を包含すべきものである。
【符号の説明】
【０２８３】
1410  切り換えメッセージ送信部
1420  シグナリングメッセージ受信部
1430  切り換え指示部
1440  プロファイルアクティブ化要求部
1510  要求送信部
1520  メッセージ受信部
1530  ネットワーク切り換え部
1610  切り換えメッセージ受信部
1620  シグナリングメッセージ送信部
1630  切り換え指示受信部
1710  要求受信部
1720  応答返信部
1810  接続要求受信部
1820  受け入れメッセージ送信部
1910  セッション作成要求受信部
1920  応答返信部
1930  セッション作成応答返信部
2010  接続要求受信部
2020  受け入れメッセージ送信部
【図１】
2016525322.tif 000003
【図２】
2016525322.tif 000004
【図３】
2016525322.tif 000005
【図４】
2016525322.tif 000006
【図５】
2016525322.tif 000007
【図６】
2016525322.tif 000008
【図７】
2016525322.tif 000009
【図８】
2016525322.tif 000010
【図９】
2016525322.tif 000011
【図１０】
2016525322.tif 000012
【図１１】
2016525322.tif 000013
【図１２】
2016525322.tif 000014
【図１３】
2016525322.tif 000015
【図１４】
2016525322.tif 000016
【図１５】
2016525322.tif 000017
【図１６】
2016525322.tif 000018
【図１７】
2016525322.tif 000019
【図１８】
2016525322.tif 000020
【図１９】
2016525322.tif 000021
【図２０】
2016525322.tif 000022
【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
モバイルネットワークを動的に切り換えるための方法であって、
サブスクリプションマネージャ（SM）が第1のモバイルネットワークへ、ユーザ機器（UE）がネットワーク切り換えを必要とすることを指示するのに使用されるモバイルネットワーク切り換えメッセージを送信するステップと、
前記SMが前記第1のモバイルネットワークから、前記SMに前記UEが前記第1のモバイルネットワークに接続しようと意図していることを通知するのに使用される通知シグナリングメッセージを受信するステップと、
前記SMが、前記UEに第2のモバイルネットワークに切り換えるよう命令するために、前記第1のモバイルネットワークを用いて前記UEへ前記モバイルネットワーク切り換えメッセージを送信するステップと
を含む、方法。
【請求項２】
前記通知シグナリングメッセージは、
前記UEの位置情報、前記UEが利用可能なネットワークの公衆陸上移動網識別子（PLMN  ID）、前記UEが利用可能な無線ローカル・エリア・ネットワークのアクセスポイント識別子（AP  ID）、および前記UEが利用可能な前記無線ローカル・エリア・ネットワークのサービスセット識別子（SSID）
の各項目のうちの少なくとも1つを含む、請求項1に記載のモバイルネットワークを動的に切り換えるための方法。
【請求項３】
サブスクリプションマネージャSMが第1のモバイルネットワークへモバイルネットワーク切り換えメッセージを送信する前記ステップは、
前記サブスクリプションマネージャ（SM）が事前に確立されたデータチャネルを介して前記第1のモバイルネットワークへ前記モバイルネットワーク切り換えメッセージを送信するステップ
を含む、請求項1または2に記載のモバイルネットワークを動的に切り換えるための方法。
【請求項４】
前記モバイルネットワーク切り換えメッセージは前記SMのアドレス情報を含む、請求項1から3のいずれか一項に記載の方法。
【請求項５】
前記モバイルネットワーク切り換えメッセージは、前記UEの前記第2のモバイルネットワーク上での加入情報を含む、請求項1から4のいずれか一項に記載の方法。
【請求項６】
前記SMが前記第2のモバイルネットワークへ、前記第2のモバイルネットワークに前記UEの前記第2のモバイルネットワーク上での加入データをアクティブ化するよう要求するのに使用されるプロファイルアクティブ化要求を送信するステップ
をさらに含む、請求項1から5のいずれか一項に記載の方法。
【請求項７】
サブスクリプションマネージャ（SM）であって、
第1のモバイルネットワークへ、ユーザ機器（UE）がネットワーク切り換えを必要とすることを指示するのに使用されるモバイルネットワーク切り換えメッセージを送信する、切り換えメッセージ送信部と、
前記第1のモバイルネットワークから、前記SMに、前記UEが前記第1のモバイルネットワークに接続しようと意図していることを通知するのに使用される通知シグナリングメッセージを受信する、シグナリングメッセージ受信部と、
前記UEに第2のモバイルネットワークに切り換えるよう命令するために、前記第1のモバイルネットワークを用いて前記UEへ前記モバイルネットワーク切り換えメッセージを送信する、切り換え指示部と
を含む、サブスクリプションマネージャ（SM）。
【請求項８】
前記通知シグナリングメッセージは、
前記UEの位置情報、前記UEが利用可能なネットワークの公衆陸上移動網識別子（PLMN  ID、前記UEが利用可能な無線ローカル・エリア・ネットワークのアクセスポイント識別子（AP  ID）、および前記UEが利用可能な前記無線ローカル・エリア・ネットワークのサービスセット識別子（SSID）
の各項目のうちの少なくとも1つを含む、請求項7に記載のサブスクリプションマネージャ（SM）。
【請求項９】
前記切り換え指示部は具体的には、データチャネルを介して前記第1のモバイルネットワークへ前記モバイルネットワーク切り換えメッセージを送信する、請求項7または8に記載のサブスクリプションマネージャ（SM）。
【請求項１０】
前記モバイルネットワーク切り換えメッセージは前記SMのアドレス情報を含む、請求項7から9のいずれか一項に記載のサブスクリプションマネージャ（SM）。
【請求項１１】
前記モバイルネットワーク切り換えメッセージは、前記UEの前記第2のモバイルネットワーク上での加入情報を含む、請求項7から10のいずれか一項に記載のサブスクリプションマネージャ（SM）。
【請求項１２】
前記第2のモバイルネットワークへ、前記第2のモバイルネットワークに前記UEの前記第2のモバイルネットワーク上での加入データをアクティブ化するよう要求するのに使用されるプロファイルアクティブ化要求を送信する、プロファイルアクティブ化要求部
をさらに含む、請求項7から11のいずれか一項に記載のサブスクリプションマネージャ（SM）。
【請求項１３】
ユーザ機器（UE）であって、
第1のモバイルネットワークのネットワークデバイスへ第1のネットワーク接続要求を送信する、要求送信部と、
前記第1のモバイルネットワークの前記ネットワークデバイスから第1のネットワーク接続受け入れメッセージを受信する、メッセージ受信部であって、前記第1のネットワーク接続受け入れメッセージは前記UEにモバイルネットワークを切り換えるよう命令するのに使用されるモバイルネットワーク切り換えメッセージを含み、前記モバイルネットワーク切り換えメッセージはサブスクリプションマネージャ（SM）から到来するものである、メッセージ受信部と、
前記モバイルネットワーク切り換えメッセージに従って第2のモバイルネットワークに接続する、ネットワーク切り換え部と
を含む、ユーザ機器（UE）。
【請求項１４】
前記モバイルネットワーク切り換えメッセージは前記UEの前記第2のモバイルネットワーク上での加入情報を含む、請求項13に記載のユーザ機器（UE）。
【請求項１５】
前記第1のネットワーク接続要求はアタッチ要求であり、前記第1のネットワーク接続受け入れメッセージはアタッチ受け入れである、請求項13または14に記載のユーザ機器（UE）。
【請求項１６】
前記第1のモバイルネットワークの前記ネットワークデバイスはモビリティ管理エンティティデバイス（MME）である、請求項13から15のいずれか一項に記載のユーザ機器（UE）。
【請求項１７】
前記第1のモバイルネットワークの前記ネットワークデバイスの第1のネットワーク接続応答メッセージを受信する、応答メッセージ受信部であって、前記第1のネットワーク接続応答メッセージは前記モバイルネットワーク切り換えメッセージを含み、前記モバイルネットワーク切り換えメッセージは前記サブスクリプションマネージャ（SM）から到来するものである、応答メッセージ受信部と、
前記第1のモバイルネットワークの前記ネットワークデバイスへ、前記UEの公衆陸上移動網識別子（PLMN  ID）を含む位置応答メッセージを送信する、位置情報送信部と
をさらに含む、請求項16に記載のユーザ機器（UE）。
【請求項１８】
前記第1のネットワーク接続応答メッセージはアタッチ拒否であり、前記位置応答メッセージはアタッチ要求であり、または前記第1のネットワーク接続応答メッセージは埋め込み型汎用集積回路カード（eUICC）要求メッセージであり、前記位置応答メッセージはeUICC応答メッセージである、請求項17に記載のユーザ機器（UE）。
【請求項１９】
前記第1のモバイルネットワークの前記ネットワークデバイスはサービング汎用パケット無線システム（GPRS）サポート・ノード・デバイスである、請求項13から15のいずれか一項に記載のユーザ機器（UE）。
【請求項２０】
前記第1のモバイルネットワークの前記ネットワークデバイスへ、前記モバイルネットワーク切り換えメッセージを含むパケット・データ・プロトコル（PDP）コンテキストアクティブ化要求を送信し、前記ネットワークデバイスによって返信されるPDPコンテキストアクティブ化要求応答を受信する、コンテキスト要求部
をさらに含む、請求項19に記載のユーザ機器（UE）。
【国際調査報告】
2016525322.tif 000023
2016525322.tif 000024
2016525322.tif 000025
2016525322.tif 000026
2016525322.tif 000027